(57)【要約】【課題】  本発明は、符号化データを任意の速度で高速再生し得る復号化装置を提案するものである。【解決手段】  複数フレームからなる所定の符号化処理単位で、かつ他の上記符号化処理単位のデータを参照して予測符号化することにより得られた符号化データを復号化する復号化装置において、記録媒体から符号化データを指定された再生速度で読み出させる読出し制御手段と、符号化データを復号化処理する複数の復号化手段と、記録媒体から読み出された符号化データを、完結的に復号化処理できる所定の復号化処理単位で指定された再生速度に応じた個数の復号化手段に振り分ける振分け手段と、各復号化手段により復号化処理された符号化データに基づいて、指定された再生速度の再生画像の画像データを生成する再生画像データ生成手段とを設けるようにした。【選択図】        図３
2005341168.tif 000002
【特許請求の範囲】
【請求項１】
複数フレームからなる所定の符号化処理単位で、かつ他の上記符号化処理単位のデータを参照して予測符号化することにより得られた符号化データを復号化する復号化装置において、
記録媒体から上記符号化データを指定された再生速度で読み出させる読出し制御手段と、
上記符号化データを復号化処理する複数の復号化手段と、
上記記録媒体から読み出された上記符号化データを、完結的に上記復号化処理できる所定の復号化処理単位で上記指定された再生速度に応じた個数の上記復号化手段に振り分ける振分け手段と、
各上記復号化手段により復号化処理された上記符号化データに基づいて、上記指定された再生速度の再生画像の画像データを生成する再生画像データ生成手段と
を具えることを特徴とする復号化装置。
【請求項２】
上記振分け手段は、
上記再生画像として上記表示するフレーム画像又は当該フレーム画像を上記復号化処理するのに必要なフレーム画像の上記符号化データのみを各上記復号化手段に振り分ける
ことを特徴とする請求項１に記載の復号化装置。
【請求項３】
上記符号化処理単位内のフレーム数と、フレーム内符号化画像又はフレーム間順方向予測符号化画像の出現周期とに基づいて算出される所定数の上記復号化手段が設けられた
ことを特徴とする請求項２に記載の復号化装置。
【請求項４】
上記符号化処理単位内のフレーム数はＮ個であり、フレーム内符号化画像又はフレーム間順方向予測符号化画像の出現周期がＭの上記符号化データを復号化するときの上記所定数の復号化手段は、（Ｎ／Ｍ＋３）である
ことを特徴とする請求項３に記載の復号化装置。
【請求項５】
上記再生画像データ生成手段は、
復号化された複数のフレーム画像をフィールド単位で合成するようにして上記再生画像の各フレーム画像の上記画像データを生成する
ことを特徴とする請求項１に記載の復号化装置。
【請求項６】
上記再生画像データ生成手段は、
上記画像データのトップフィールドとして選択された上記復号化されたフレーム画像のトップフィールドに対して、当該復号化されたフレーム画像のトップフィールド間のフィールド間隔が等間隔又はほぼ等間隔になるように、上記復号化されたフレーム画像のトップフィールド又はボトムフィールドを上記画像データのボトムフィールドとして選択する
ことを特徴とする請求項５に記載の復号化装置。
【請求項７】
複数フレームからなる所定の符号化処理単位で、かつ他の上記符号化処理単位のデータを参照して予測符号化することにより得られた符号化データを復号化する復号化方法において、
記録媒体から上記符号化データを指定された再生速度で読み出させる第１のステップと、
上記記録媒体から読み出された上記符号化データを、完結的に上記復号化処理できる所定の復号化処理単位で上記指定された再生速度に応じた数の系列に振り分ける第２のステップと、
各上記系列に振り分けられた上記符号化データをそれぞれ復号化処理する第３のステップと、
上記復号化処理された上記符号化データに基づいて、上記指定された再生速度の再生画像の画像データを生成する第４のステップと
を具えることを特徴とする復号化方法。
【請求項８】
上記第２のステップでは、
上記再生画像として上記表示するフレーム画像又は当該フレーム画像を上記復号化処理するのに必要なフレーム画像の上記符号化データのみを各上記系列に振り分ける
ことを特徴とする請求項７に記載の復号化方法。
【請求項９】
上記第４のステップでは、
復号化された複数のフレーム画像をフィールド単位で合成するようにして上記再生画像の各フレーム画像の上記画像データを生成する
ことを特徴とする請求項７に記載の復号化方法。
【請求項１０】
上記第４のステップでは、
上記画像データのトップフィールドとして選択された上記復号化されたフレーム画像のトップフィールドに対して、当該復号化されたフレーム画像のトップフィールド間のフィールド間隔が等間隔になるように、上記復号化されたフレーム画像のトップフィールド又はボトムフィールドを上記画像データのボトムフィールドとして選択する
ことを特徴とする請求項９に記載の復号化方法。
【請求項１１】
複数フレームからなる所定の符号化処理単位で、かつ他の上記符号化処理単位のデータを参照して予測符号化することにより得られた符号化データを復号化する復号化装置に対して、
記録媒体から上記符号化データを指定された再生速度で読み出させる第１のステップと、
上記記録媒体から読み出された上記符号化データを、完結的に上記復号化処理できる所定の復号化処理単位で上記指定された再生速度に応じた数の系列に振り分ける第２のステップと、
各上記系列に振り分けられた上記符号化データをそれぞれ復号化処理する第３のステップと、
上記復号化処理された上記符号化データに基づいて、上記指定された再生速度の再生画像の画像データを生成する第４のステップと
を実行させるためのプログラム。
【請求項１２】
複数フレームからなる所定の符号化処理単位で、かつ他の上記符号化処理単位のデータを参照して予測符号化することにより得られた符号化データを復号化する復号化装置に対して、
記録媒体から上記符号化データを指定された再生速度で読み出させる第１のステップと、
上記記録媒体から読み出された上記符号化データを、完結的に上記復号化処理できる所定の復号化処理単位で上記指定された再生速度に応じた数の系列に振り分ける第２のステップと、
各上記系列に振り分けられた上記符号化データをそれぞれ復号化処理する第３のステップと、
上記復号化処理された上記符号化データに基づいて、上記指定された再生速度の再生画像の画像データを生成する第４のステップと
を実行させるためのプログラムを記録した記録媒体。
【発明の詳細な説明】
【技術分野】
【０００１】
本発明は、復号化装置及び方法に関し、例えばＭＰＥＧ（Moving Picture Experts Group）方式で予測符号化された動画像を高速再生する復号化装置に適用して好適なものである。
【背景技術】
【０００２】
従来、動画像を効率的に圧縮する方法のひとつにＭＰＥＧ方式がある。ＭＰＥＧ方式は、複数フレームから構成されるＧＯＰ（Group Of Picture）を単位として、フレーム相関を利用してフレーム画像を圧縮符号化するもので、各フレーム画像をそれぞれそのＧＯＰ内における順番に応じてＩピクチャ、Ｐピクチャ又はＢピクチャのいずれかのタイプの圧縮符号化画像に変換するものである。
【０００３】
ここでＩピクチャは、フレーム内で完結するように符号化されたフレーム内符号化画像であり、Ｐピクチャは、時間的に先行するＩピクチャ又はＰピクチャから現在を予測することにより得られるフレーム間順方向予測符号化画像である。またＢピクチャは、時間的に先行するＩピクチャ又はＰピクチャと、時間的に後行するＩピクチャ又はＰピクチャとから現在を予測することにより得られる双方向予測符号化画像である。
【０００４】
なお、以下においては、１ＧＯＰに含まれるフレーム数をＮ、Ｉピクチャ又はＰピクチャが現れる周期をＭで表す。従って、例えば１ＧＯＰにおけるＩピクチャ（I）、Ｐピクチャ（P）及びＢピクチャ（B）の並びが「I,B,B,P,B,B,P,B,B,P,B,B,P,B,B」である場合には、Ｎが15、Ｍが３となる。
【０００５】
このようにＭＰＥＧ方式ではフレーム相関を利用してＧＯＰ単位で圧縮符号化処理を行うため、１倍速の処理能力を有する１個のＭＰＥＧ復号器を用いての高速再生処理に制約が生じる。
【０００６】
例えばＭＰＥＧ方式で圧縮符号化された映像を１倍速の処理能力を有するＭＰＥＧ復号器を用いて高速再生する方法として、Ｉピクチャだけをサーチして再生する方法があるが、この方法によると、１ＧＯＰ内にＩピクチャが１つしかない場合に再生速度がＧＯＰ内におけるフレーム数Ｎに依存するという制約がある。
【０００７】
これはＭＰＥＧ方式では、フレーム相関を利用して各フレーム画像を圧縮符号化するために、Ｉピクチャ以外のＰピクチャやＢピクチャを再生する際に、そのＰピクチャやＢピクチャを符号化する際に参照したＰピクチャやＩピクチャが予め再生されている必要があり、この結果、１倍速のＭＰＥＧ復号器では処理が間に合わなくなることによる。
【０００８】
この場合において、従来、例えば図４２に示すように、当該ＭＰＥＧストリームデータを記録媒体から２倍速で読み込み（図４２（Ａ））、これを１倍速の処理能力を有するＭＰＥＧ復号器を２個用いて並列処理によりＧＯＰ単位で順次交互に復号化処理を施すことで（図４２（Ｂ）及び４２（Ｃ））、ＭＰＥＧ方式で圧縮符号化された画像を２倍速で再生する（図４２（Ｄ））方法が提案されている（例えば特許文献１参照）。
【０００９】
そしてこの方法を利用すれば、１ＧＯＰ内に存在するIピクチャだけではなくPピクチャ及びBピクチャも復号するので、Iピクチャだけをサーチして再生する方法に比べて、動きの自然な（なめらかな）倍速再生を実現することができる利点がある。
【特許文献１】特開平８−０５６３３４号公報
【発明の開示】
【発明が解決しようとする課題】
【００１０】
ところで、ＭＰＥＧ方式では、動画像を圧縮符号化する際のＧＯＰ構造として、図４３（Ａ）に示すように、各ＧＯＰをそれぞれ独立して符号化処理するクローズドＧＯＰと、図４３（Ｂ）に示すように、各ＧＯＰを直前のＧＯＰのデータを参照して数珠つなぎに符号化処理するオープンＧＯＰとがある。
【００１１】
そしてＧＯＰ構造がクローズドＧＯＰのＭＰＥＧストリームデータの場合、符号化処理がＧＯＰ単位で完結しているため、図４２（Ｂ）及び（Ｃ）のようにＭＰＥＧストリームデータをＧＯＰ単位で順次交互に２個のＭＰＥＧ復号器に振り分けることによってＧＯＰ単位での復号化処理を行うことができる。
【００１２】
このとき、ＧＯＰ構造がクローズドＧＯＰ（Closed GOP）のＭＰＥＧストリームデータだけでなく、ＧＯＰ構造がオープンＧＯＰ（Open GOP）のＭＰＥＧストリームデータにも対応することができれば、よりいろいろなＧＯＰ構造のＭＰＥＧストリームデータにも対応することができるものと考えられる。
【００１３】
しかしながらオープンＧＯＰ構造のＭＰＥＧストリームデータの場合、各ＧＯＰがそれぞれ直前のＧＯＰのデータをも利用して符号化処理されているため、１つのＧＯＰのＭＰＥＧストリームデータを復号化処理するためには直前のＧＯＰのＭＰＥＧストリームデータをも復号化処理しなければならない。
【００１４】
このため例えばオープンＧＯＰ構造のＭＰＥＧストリームデータを記録媒体から２倍速で読み込み、これをＧＯＰ単位で順次交互に２個の１倍速の処理能力を有するＭＰＥＧ復号器によって並列処理を行ったとしても、復号化処理が間に合わないこととなる。さらに、フレーム数Nを大きくする（GOPを長くする：いわゆるLong GOP）の場合には、この復号処理の遅延はさらに増大する。
【００１５】
本発明は以上の点を考慮してなされたもので、複数フレームからなる所定の符号化処理単位で、かつ他の上記符号化処理単位のデータを参照して予測符号化することにより得られた符号化データを、任意の速度で高速再生し得る復号化装置及び方法を提案しようとするものである。
【課題を解決するための手段】
【００１６】
かかる課題を解決するため本発明においては、複数フレームからなる所定の符号化処理単位で、かつ他の符号化処理単位のデータを参照して予測符号化することにより得られた符号化データを復号化する復号化装置において、記録媒体から符号化データを指定された再生速度で読み出させる読出し制御手段と、符号化データを復号化処理する複数の復号化手段と、記録媒体から読み出された符号化データを、完結的に復号化処理できる所定の復号化処理単位で指定された再生速度に応じた個数の復号化手段に振り分ける振分け手段と、各復号化手段により復号化処理された符号化データに基づいて、指定された再生速度の再生画像の画像データを生成する再生画像データ生成手段とを設けるようにした。
【００１７】
この結果この復号化装置では、符号化処理単位内に存在するフレーム内符号化画像の数や、符号化処理単位内におけるフレーム内符号化画像又はフレーム間順方向符号化画像の出現周期に依存することなく、任意の再生速度で符号化データを復号化処理することができる。
【００１８】
また本発明においては、複数フレームからなる所定の符号化処理単位で、かつ他の上記符号化処理単位のデータを参照して予測符号化することにより得られた符号化データを復号化する復号化方法において、記録媒体から上記符号化データを指定された再生速度で読み出させる第１のステップと、記録媒体から読み出された符号化データを、完結的に復号化処理できる所定の復号化処理単位で指定された再生速度に応じた数の系列に振り分ける第２のステップと、各系列に振り分けられた符号化データをそれぞれ復号化処理する第３のステップと、復号化処理された符号化データに基づいて、指定された再生速度の再生画像の画像データを生成する第４のステップとを設けるようにした。
【００１９】
この結果この復号化方法によれば、符号化処理単位内に存在するフレーム内符号化画像の数や、符号化処理単位内におけるフレーム内符号化画像又はフレーム間順方向符号化画像の出現周期に依存することなく、任意の再生速度で符号化データを復号化処理することができる。
【００２０】
さらに本発明においては、プログラムによって、複数フレームからなる所定の符号化処理単位で、かつ他の上記符号化処理単位のデータを参照して予測符号化することにより得られた符号化データを復号化する復号化装置に対して、記録媒体から符号化データを指定された再生速度で読み出させる第１のステップと、記録媒体から読み出された符号化データを、完結的に復号化処理できる所定の復号化処理単位で指定された再生速度に応じた数の系列に振り分ける第２のステップと、各上記系列に振り分けられた符号化データをそれぞれ復号化処理する第３のステップと、復号化処理された符号化データに基づいて、指定された再生速度の再生画像の画像データを生成する第４のステップとを実行させるようにした。
【００２１】
この結果このプログラムによれば、符号化処理単位内に存在するフレーム内符号化画像の数や、符号化処理単位内におけるフレーム内符号化画像又はフレーム間順方向符号化画像の出現周期に依存することなく、任意の再生速度で符号化データを復号化処理することができる。
【００２２】
さらに本発明においては、プログラムが記録された記録媒体によって、複数フレームからなる所定の符号化処理単位で、かつ他の上記符号化処理単位のデータを参照して予測符号化することにより得られた符号化データを復号化する復号化装置に対して、記録媒体から符号化データを指定された再生速度で読み出させる第１のステップと、記録媒体から読み出された符号化データを、完結的に復号化処理できる所定の復号化処理単位で指定された再生速度に応じた数の系列に振り分ける第２のステップと、各上記系列に振り分けられた符号化データをそれぞれ復号化処理する第３のステップと、復号化処理された符号化データに基づいて、指定された再生速度の再生画像の画像データを生成する第４のステップとを実行させるようにした。
【００２３】
この結果この記録媒体によれば、符号化処理単位内に存在するフレーム内符号化画像の数や、符号化処理単位内におけるフレーム内符号化画像又はフレーム間順方向符号化画像の出現周期に依存することなく、任意の再生速度で符号化データを復号化処理することができる。
【発明の効果】
【００２４】
以上のように本発明によれば、複数フレームからなる所定の符号化処理単位で、かつ他の符号化処理単位のデータを参照して予測符号化することにより得られた符号化データを復号化する復号化装置において、記録媒体から符号化データを指定された再生速度で読み出させる読出し制御手段と、符号化データを復号化処理する複数の復号化手段と、記録媒体から読み出された符号化データを、完結的に復号化処理できる所定の復号化処理単位で指定された再生速度に応じた個数の復号化手段に振り分ける振分け手段と、各復号化手段により復号化処理された符号化データに基づいて、指定された再生速度の再生画像の画像データを生成する再生画像データ生成手段とを設けるようにしたことにより、符号化処理単に内に存在するフレーム内符号化画像の数や、符号化処理単位内におけるフレーム内符号化画像又はフレーム間順方向符号化画像の出現周期に依存することなく、所望する再生速度で符号化データを復号化処理することができ、かくして複数フレームからなる所定の符号化処理単位で、かつ他の符号化処理単位のデータを参照して予測符号化することにより得られた符号化データを任意の速度で高速再生し得る復号化装置を実現できる。
【００２５】
また本発明によれば、複数フレームからなる所定の符号化処理単位で、かつ他の上記符号化処理単位のデータを参照して予測符号化することにより得られた符号化データを復号化する復号化方法において、記録媒体から上記符号化データを指定された再生速度で読み出させる第１のステップと、記録媒体から読み出された符号化データを、完結的に復号化処理できる所定の復号化処理単位で指定された再生速度に応じた数の系列に振り分ける第２のステップと、各系列に振り分けられた符号化データをそれぞれ復号化処理する第３のステップと、復号化処理された符号化データに基づいて、指定された再生速度の再生画像の画像データを生成する第４のステップとを設けるようにしたことにより、符号化処理単に内に存在するフレーム内符号化画像の数や、符号化処理単位内におけるフレーム内符号化画像又はフレーム間順方向符号化画像の出現周期に依存することなく、所望する再生速度で符号化データを復号化処理することができ、かくして複数フレームからなる所定の符号化処理単位で、かつ他の符号化処理単位のデータを参照して予測符号化することにより得られた符号化データを任意の速度で高速再生し得る復号化方法を実現できる。
【００２６】
さらに本発明によれば、プログラムによって、複数フレームからなる所定の符号化処理単位で、かつ他の上記符号化処理単位のデータを参照して予測符号化することにより得られた符号化データを復号化する復号化装置に対して、記録媒体から符号化データを指定された再生速度で読み出させる第１のステップと、記録媒体から読み出された符号化データを、完結的に復号化処理できる所定の復号化処理単位で指定された再生速度に応じた数の系列に振り分ける第２のステップと、各上記系列に振り分けられた符号化データをそれぞれ復号化処理する第３のステップと、復号化処理された符号化データに基づいて、指定された再生速度の再生画像の画像データを生成する第４のステップとを実行させるようにしたことにより、符号化処理単に内に存在するフレーム内符号化画像の数や、符号化処理単位内におけるフレーム内符号化画像又はフレーム間順方向符号化画像の出現周期に依存することなく、所望する再生速度で符号化データを復号化処理することができ、かくして複数フレームからなる所定の符号化処理単位で、かつ他の符号化処理単位のデータを参照して予測符号化することにより得られた符号化データを任意の速度で高速再生し得るプログラムを実現できる。
【００２７】
さらに本発明によれば、プログラムが記録された記録媒体によって、複数フレームからなる所定の符号化処理単位で、かつ他の上記符号化処理単位のデータを参照して予測符号化することにより得られた符号化データを復号化する復号化装置に対して、記録媒体から符号化データを指定された再生速度で読み出させる第１のステップと、記録媒体から読み出された符号化データを、完結的に復号化処理できる所定の復号化処理単位で指定された再生速度に応じた数の系列に振り分ける第２のステップと、各上記系列に振り分けられた符号化データをそれぞれ復号化処理する第３のステップと、復号化処理された符号化データに基づいて、指定された再生速度の再生画像の画像データを生成する第４のステップとを実行させるようにしたことにより、符号化処理単に内に存在するフレーム内符号化画像の数や、符号化処理単位内におけるフレーム内符号化画像又はフレーム間順方向符号化画像の出現周期に依存することなく、所望する再生速度で符号化データを復号化処理することができ、かくして複数フレームからなる所定の符号化処理単位で、かつ他の符号化処理単位のデータを参照して予測符号化することにより得られた符号化データを任意の速度で高速再生し得る記録媒体を実現できる。
【発明を実施するための最良の形態】
【００２８】
以下図面について、本発明の一実施の形態を詳述する。
【００２９】
（１）原理
例えばＮを15、Ｍを３とし、ＧＯＰ構造をオープンＧＯＰとするＭＰＥＧ方式の圧縮符号化処理では、図１に示すように、各ＧＯＰ内の３番目のフレーム画像がフレーム内符号化処理されてＩピクチャに変換される。また６番目、９番目、12番目及び15番目のフレーム画像は、時間的に先行するＩピクチャ又はＰピクチャを用いて順方向予測符号化処理されてＰピクチャに変換される。
【００３０】
さらに、これ以外の１番目及び２番目のフレーム画像は、前のＧＯＰの最後のＰピクチャ及び自ＧＯＰのＩピクチャを用いて双方向予測符号化処理されてＢピクチャに変換され、以下、４番目及び５番目、７番目及び８番目、10番目及び11番目並びに13番目及び14番目のフレーム画像はそれぞれ自ＧＯＰ内の前後のＩピクチャ又はＰピクチャを用いて双方向予測符号化処理されてＢピクチャに変換される。
【００３１】
従って、かかる圧縮符号化処理により得られた符号化データにおける各ＧＯＰのピクチャ構造は、当該ＧＯＰを構成する各ピクチャを、そのピクチャタイプを表すアルファベット（Ｉ、Ｐ、Ｂ）と表示順（ディスプレイオーダ）を表す数字との組み合せで表すものとすると、B1、B2、I3、B4、B5、P6、B7、B8、P9、B10、B11、P12、B13、B14、P15と表すことができる。
【００３２】
この場合において、Ｂピクチャは時間的に先行するＩピクチャ又はＰピクチャだけでなく、時間的に後行するＩピクチャ又はＰピクチャをも参照して符号化及び復号化されるため、符号化や復号化の際に、その参照すべきＩピクチャ又はＰピクチャが予め符号化又は復号化されている必要がある。
【００３３】
そこでＭＰＥＧ方式では、図２に示すように、ＧＯＰごとにフレーム画像をI3、B1、B2、P6、B4、B5、P9、B7、B8、P12、B10、B11、P15、B13、B14という順番（符号化順：コーディングオーダ）に並び替えて圧縮符号化処理を行い、このようにして得られた各フレーム画像の符号化データをそのピクチャ構造のままＭＰＥＧストリームデータとして記録媒体に記録し、又は復号化側に送信するようになされている。
【００３４】
ところで、図１について上述したように、Ｎが15、Ｍが３でＧＯＰ構造がオープンＧＯＰのＭＰＥＧストリームデータを復号化する場合、復号化処理を行うに際して直前のＧＯＰのデータを参照すべきピクチャはピクチャB1及びピクチャB2だけであり、これ以外のピクチャI3〜ピクチャP15については自ＧＯＰのデータのみを用いて復号することができる。またピクチャB1及びピクチャB2についても、自ＧＯＰのピクチャI3の復号化データ及び直前のＧＯＰのP15の復号化データがあれば復号することができる。
【００３５】
従って、例えば図３（Ａ）に示すような１ＧＯＰのピクチャ構造がI3，B1，B2，P6，B4，B5，P9，B7，B8，P12，B10，B11，P15，B13，B14（コーディングオーダ）というＭＰＥＧストリームデータＳ１について、図３（Ｂ）に示すように、任意のＧＯＰ(n)におけるピクチャB１及びピクチャB２を除いたピクチャ群（I3，P6，B4，B5，P9，B7，B8，P12，B10，B11，P15，B13，B14）の最後尾に、次のＧＯＰ(n+1)における先頭のピクチャI３〜ピクチャB２（I3，B1，B2）を付加する。このようにして生成されたI3，P6，B4，B5，P9，B7，B8，P12，B10，B11，P15，B13，B14，I3，B1，B2という構造のピクチャ群は、そのピクチャ群のＭＰＥＧストリームデータのみを用いて復号化処理することができることが分かる。なお、ディスプレイオーダで考えた場合、任意のＧＯＰ(n)におけるピクチャI３以降のピクチャ群（I3，B4，B5，P６，B7，B8，P９，B10，B11，P1２，B13，B14，B15）の最後尾に、次のＧＯＰ(n+1)における先頭のピクチャB１〜ピクチャI３（B1，B2，I3）を付加することになる。
【００３６】
そこで、本実施の形態による再生装置は、かかる原理を利用して、例えば図３（Ａ）のような１ＧＯＰのピクチャ構造がI3，B1，B2，P6，B4，B5，P9，B7，B8，P12，B10，B11，P15，B13，B14という復号対象のＭＰＥＧストリームデータＳ１について、図３（Ｂ）について上述した復号化処理がその符号化データ（ＭＰＥＧストリームデータＳ１）だけで完結するピクチャ群（以下、これを完結ピクチャ群と呼ぶ）ＰＳを順次生成し、これら生成した完結ピクチャ群ＰＳを複数個のＭＰＥＧ復号器によって並列的に復号化処理することで、ＭＰＥＧストリームデータＳ１を高速再生し得るようになされた点を第１の特徴としている。
【００３７】
一方、このようにＭＰＥＧストリームデータＳ１に基づく動画像を高速再生表示する場合には、復号化したすべてのピクチャを表示するわけではない。この場合、表示しないピクチャのうち、表示するピクチャの復号化処理の際に参照するピクチャ（ＩピクチャやＰピクチャ）については復号する必要があるが、参照しないピクチャについては、復号化する必要がない。つまり、ＭＰＥＧストリームデータＳ１を高速再生する場合、表示するピクチャ及び当該ピクチャを復号化するために必要なピクチャについてのみ復号化処理すればよいこととなる。
【００３８】
そこで、本実施の形態による再生装置は、高速再生動作時には、完結ピクチャ群ＰＳのうち、高速再生表示に利用するピクチャ及びこれを復号化するために必要なピクチャの符号化データ（ＭＰＥＧストリームデータＳ１）のみを対応するＭＰＥＧ復号器にそれぞれ振り分けることにより、ＭＰＥＧストリームデータＳ１の復号化処理をより高速化させ得るようになされた点を第２の特徴としている。
【００３９】
この場合において、高速再生画像を表示する際、復号化したピクチャをそのまま（フレーム単位で）表示することも考えられるが、この方法によると、比較的動きが少ない静止画的な性質を持っている動画像では有利であるが、動きの激しい動画像では表示される高速再生画像の動きが滑らかさのないぎこちない動きになる問題がある。
【００４０】
そこで、本実施の形態による再生装置は、高速再生画像を表示する際、復号化したピクチャをフレーム単位で表示するだけではなく、フィールド単位で表示するようになされている。つまり、再生速度に応じて、表示すべきピクチャ（フレームまたはフィールド）を一定間隔で選択してこれらを順次復号化すると共に、これら復号化した各ピクチャ（フレーム）を構成する２つのフィールドを、再生速度及びフィールドオーダに応じて順次合成処理するようにして表示すべきフレーム画像を順次生成する。
【００４１】
このとき、復号化したピクチャをフィールド単位で表示した場合、復号化したピクチャは、時間的に先に表示される画像であるピクチャ内のトップフィールド（以下、これをピクチャ内トップフィールドと呼ぶ）と、時間的に後に表示される画像であるピクチャ内のボトムフィールド（以下、これをピクチャ内ボトムフィールドと呼ぶ）から構成されている。
【００４２】
そして、表示すべきフレーム画像を構成する２つのピクチャのうち、一方をトップフィールドデータとし、他方をボトムフィールドデータとした場合（図６参照）、トップフィールドデータのピクチャ内トップフィールド又はピクチャ内ボトムフィールドと、ボトムフィールドデータのピクチャ内トップフィールド又はピクチャ内ボトムフィールドとを合成処理することによって、表示すべきフレーム画像を生成し得るようになされている。
【００４３】
ここで、トップフィールドデータのピクチャ内トップフィールドを、表示すべきフレーム画像のトップフィールド（以下、これをフレーム画像内トップフィールドと呼ぶ）として選択した場合には、当該ピクチャ内トップフィールド間のフィールド間隔が等間隔又はほぼ等間隔になるように、フレーム画像内のボトムフィールド（以下、これをフレーム画像内ボトムフィールドと呼ぶ）を選択することによって、表示すべきフレーム画像のフィールド間の間隔を調整する。
【００４４】
従って、高速再生画像のすべてのフレーム画像がこのように生成されるものである場合には、表示されるフレーム画像のフレーム画像内トップフィールドとフレーム画像内ボトムフィールドとのフィールド間隔が等間隔又はほぼ等間隔の画像を表示することとなり、より滑らかに高速再生画像を表示できることとなる。
【００４５】
そこで、本実施の形態による再生装置は、表示すべきフレーム画像のフィールド間の間隔を等間隔又はほぼ等間隔になるように調整し、順次合成処理するようにして表示すべきフレーム画像を順次生成し得るようにした点を第３の特徴としている。
【００４６】
なお、トップフィールドデータのピクチャ内ボトムフィールドを、フレーム画像内トップフィールドとして選択した場合にも、上述と同様にフレーム画像内ボトムフィールドを、当該フレーム画像内トップフィールド間のフィールド間隔が等間隔又はほぼ等間隔になるように選択することによって、表示すべきフレーム画像のフィールド間の間隔を調整するようになされている。
【００４７】
他方、このようにして高速再生画像を生成するに際し、１フレーム分の再生画像を生成するのに最も時間を要するのは、合成する２つのピクチャの双方がＢピクチャであり、かつそのうちの１つのピクチャが完結ピクチャ群ＰＳの最後尾に付加されるピクチャB1又はピクチャB2の場合である（図２４及び図２５（Ｆ）参照）。
【００４８】
これは、完結ピクチャ群の最後尾に付加されたピクチャB1又はピクチャB2を復号化するために、実際には表示しない同じ完結ピクチャ群ＰＳ内のI3，P6，P9，P12，P15，I3のすべてのピクチャをそれぞれ復号化処理しなければならず、これに加えて実際に合成する２つのＢピクチャを復号化処理しなければならないからである。
【００４９】
そして、このような条件のもとで１倍速の処理能力のＭＰＥＧ復号器を用いて高速再生映像の１フレーム分の画像を生成するには、復号化処理すべきピクチャ数Ｘが、上述のように１ＧＯＰのフレーム数をＮ、Ｉピクチャ又はＰピクチャが現れる周期をＭ（Ｍは２以上）として、次式
【００５０】
【数１】
2005341168.tif 000003
【００５１】
により算出できることから、このピクチャ数Ｘと同じ数のフレーム期間が必要となることが分かる。
【００５２】
従って、高速再生画像のすべてのフレーム画像がこのように生成されるものである場合には、使用するＭＰＥＧ復号器の処理能力が１倍速であるものとして、（１）式で与えられるピクチャ数と同じ個数のＭＰＥＧ復号器が必要であり、逆にこの（１）式で与えられるピクチャ数と同じ個数のＭＰＥＧ復号器があれば、再生表示する速度にかかわりなく、確実に高速再生画像を生成できることとなる。
【００５３】
そこで、本実施の形態による再生装置は、（１）式により与えられる数の１倍速の処理能力を有するＭＰＥＧ復号器を予め用意し、高速再生時には、これら複数個のＭＰＥＧ復号器の中から、ユーザにより指定された再生速度に応じて必要とする数のＭＰＥＧ復号器のみを選択的に使用して復号化処理を行うことにより、何倍速の再生処理でも行い得るようにした点を第４の特徴としている。
【００５４】
以下、本実施の形態による再生装置について詳述する。
【００５５】
（２）第１の実施の形態
（２−１）第１の実施の形態による再生装置の構成
図４において、１０は全体として本実施の形態による再生装置を示し、例えばハードディスク装置等からなる記憶部１１に記憶保持されたＡＶコンテンツの中からユーザにより指定されたＡＶコンテンツのＭＰＥＧストリームデータ（Ｎ＝15、Ｍ＝３、ＧＯＰ構造がオープンＧＯＰであるものとする）を、ユーザにより指定された任意の速度で高速再生し得るようになされている。
【００５６】
すなわちこの再生装置１０の場合、入力部１２が操作されて、記憶部１１が記憶保持しているＡＶコンテンツの中からユーザが所望するＡＶ（Audio Video）コンテンツ及びその再生速度が指定されると、これに応じた操作信号Ｓ２がコントロール部１３に与えられる。
【００５７】
コントロール部１３は、例えば、ＣＰＵ（Central Processing Unit）、ＲＯＭ１３Ａ（Read Only Memory）及びＲＡＭ（Random Access Memory）を含むマイクロコンピュータ構成でなり、例えば、入力部１２から与えられる操作信号Ｓ２と、ＲＯＭ１３Ａに予め格納された制御プログラムとに基づいて、記憶部１１、データ振分け部１４、複数のＭＰＥＧ復号器１５Ａ〜１５ＨからなるＭＰＥＧ復号部１５及びビデオフィルタ１６をそれぞれ制御する。
【００５８】
かくして記憶部１１は、高速再生動作時、コントロール部１３の制御のもとに、そのとき記憶保持しているＡＶコンテンツのうちの指定されたＡＶコンテンツのＭＰＥＧストリームデータＳ３をユーザにより指定された速度で読み出し、これをデータ振分け部１４に送出する。
【００５９】
データ振分け部１４は、例えば数ＧＯＰ分のＭＰＥＧストリームデータＳ３を記憶し得るメモリ（図示せず）を有し、コントロール部１３の制御のもとに、このメモリを用いながら、記憶部１１から供給されるＭＰＥＧストリームデータＳ３に基づいて、図３について上述した完結ピクチャ群ＰＳのＭＰＥＧストリームデータＳ３Ａ〜Ｓ３Ｈを順次生成し、これらをＭＰＥＧ復号部１５内の対応するＭＰＥＧ復号器１５Ａ〜１５Ｈに振り分ける。
【００６０】
ＭＰＥＧ復号部１５は、Ｎ＝15、Ｍ＝３であることから、例えば上述の（１）式に基づいて合計８個のＭＰＥＧ復号器１５Ａ〜１５Ｈから構成されている。
【００６１】
そしてこのＭＰＥＧ復号部１５では、コントロール部１３の制御のもとに、８個のＭＰＥＧ復号器１５Ａ〜１５Ｈの中からデータ振分け部１４によりＭＰＥＧストリームデータＳ３が振り分けられる２〜８個のＭＰＥＧ復号器１５Ａ〜１５Ｈのみが稼働する。そしてこれら稼働したＭＰＥＧ復号器１５Ａ〜１５Ｈは、供給される完結ピクチャ群ＰＳのＭＰＥＧストリームデータＳ３Ａ〜Ｓ３Ｈを復号処理し、得られたベースバンドのストリームデータ（以下、これをベースバンドストリームデータと呼ぶ）Ｓ４Ａ〜Ｓ４Ｈをビデオフィルタ１６に送出する。なお、後述するように、ＭＰＥＧ復号器１５Ａ〜１５Ｈは、入力される各ＭＰＥＧストリームデータＳ３Ａ〜Ｓ３Ｈをそれぞれ記憶し得るメモリ（図示せず）を有しており、このメモリを用いながら復号処理をしてもよい。
【００６２】
ビデオフィルタ１６は、コントロール部１３の制御のもとに、稼働中の各ＭＰＥＧ復号器１５Ａ〜１５Ｈからそれぞれ供給されるベースバンドストリームデータＳ４Ａ〜Ｓ４Ｈに対して、インターレースの映像にするために、フィールド単位で、かつフィールド間の間隔が等間隔になるようなフィールドを選択して合成する合成処理や必要時に例えばカラーコレクションなどのエフェクト処理等を施し、かくして得られた合成ベースバンドストリームデータＳ５を例えばプラズマディスプレイ又は液晶パネル等でなるビデオモニタ１７に送出する。
【００６３】
この結果この合成ベースバンドストリームデータＳ５に基づいて、ユーザにより指定されたＡＶコンテンツの映像がユーザにより指定された速度でビデオモニタ１７に表示される。
【００６４】
（２−２）高速再生動作時における再生装置の具体的処理
次に、高速再生動作時における再生装置の具体的な処理内容について説明する。
【００６５】
（２−２−１）２倍速再生動作時における再生装置の具体的処理
２倍速再生動作時、記憶部１１は、図５（Ａ）に示すように、指定されたＡＶコンテンツのＭＰＥＧストリームデータＳ３を２倍速で読み出し、これをデータ振分け部１４に送出する。
【００６６】
データ振分け部１４は、供給されるＭＰＥＧストリームデータＳ３に基づいて、図３について上述した完結ピクチャ群ＰＳを順次生成し、これら完結ピクチャ群ＰＳを順次循環的に第１〜第３のＭＰＥＧ復号器１５Ａ〜１５Ｃに振り分ける。従って、ｋ＝１，２，……として、第１のＭＰＥＧ復号器１５Ａには、（３ｋ−２）番目の完結ピクチャ群ＰＳのＭＰＥＧストリームデータＳ３Ａが振り分けられ、第２のＭＰＥＧ復号器１５Ｂには、（３ｋ−１）番目の完結ピクチャ群ＰＳのＭＰＥＧストリームデータＳ３Ｂが振り分けられ、第３のＭＰＥＧ復号器１５Ｃには、３ｋ番目の完結ピクチャ群ＰＳのＭＰＥＧストリームデータＳ３Ｃが振り分けられる。
【００６７】
ただし２倍速再生動作時には、図５（Ｅ）に示すように、２番目のＧＯＰ(2)のピクチャB1及びピクチャB2から再生が開始されるため、データ振分け部１４は、図５（Ｂ）に示すように、最初の完結ピクチャ群ＰＳについては、２番目のＧＯＰ(2)のピクチャB1及びピクチャB2を復号化するのに必要な１番目のＧＯＰ(1)のピクチャI3、ピクチャP6、ピクチャP9、ピクチャP12及びピクチャP15並びに２番目のＧＯＰ(2)のピクチャI3、ピクチャB1及びピクチャB2の各符号化データ（ＭＰＥＧストリームデータＳ３Ａ）のみを第１のＭＰＥＧ復号器１５Ａに送出する。
【００６８】
第１のＭＰＥＧ復号器１５Ａは、図５（Ｂ）に示すように、データ振分け部１４から供給される完結ピクチャ群ＰＳのＭＰＥＧストリームデータＳ３Ａを順次蓄積すると共に、例えば２番目のＧＯＰ(2)のP6の符号化データが記憶部１１から読み出されたタイミングで復号化処理を開始し、当該完結ピクチャ群ＰＳ内の各ピクチャの符号化データ（ＭＰＥＧストリームデータＳ３Ａ）を順次復号する。また第１のＭＰＥＧ復号器１５Ａは、これ以降に与えられる完結ピクチャ群ＰＳのＭＰＥＧストリームデータＳ３Ａについてもそれぞれ所定のタイミングで順次復号化処理し、この結果として得られたベースバンドストリームデータＳ４Ａを順次ビデオフィルタ１６に送出する。
【００６９】
また第２のＭＰＥＧ復号器１５Ｂは、図５（Ｃ）に示すように、データ振分け部１４から供給される完結ピクチャ群ＰＳのＭＰＥＧストリームデータＳ３Ｂを順次蓄積すると共に、第１のＭＰＥＧ復号器１５Ａが１番目のＧＯＰ(1)のピクチャI3についての復号化処理を開始するタイミングと同じタイミングで復号化処理を開始し、当該完結ピクチャ群ＰＳ内の各ピクチャの符号化データ（ＭＰＥＧストリームデータＳ３Ｂ）を順次復号する。また第２のＭＰＥＧ復号器１５Ｂは、これ以降に与えられる完結ピクチャ群ＰＳのＭＰＥＧストリームデータＳ３Ｂについてもそれぞれ所定のタイミングで順次復号化処理し、この結果として得られたベースバンドストリームデータＳ４Ｂを順次ビデオフィルタ１６に送出する。
【００７０】
さらに第３のＭＰＥＧ復号器１５Ｃは、図５（Ｄ）に示すように、データ振分け部１４から供給される完結ピクチャ群ＰＳのＭＰＥＧストリームデータＳ３Ｃを順次蓄積すると共に、第１のＭＰＥＧ復号器が２番目のＧＯＰ(2)のピクチャB2についての復号化処理を開始するタイミングで復号化処理を開始し、当該完結ピクチャ群ＰＳ内の各ピクチャの符号化データ（ＭＰＥＧストリームデータＳ３Ｃ）を順次復号する。また第３のＭＰＥＧ復号器１５Ｃは、これ以降に与えられる完結ピクチャ群ＰＳのＭＰＥＧストリームデータＳ３Ｃについてもそれぞれ所定のタイミングで順次復号化処理し、この結果として得られたベースバンドストリームデータＳ４Ｃを順次ビデオフィルタ１６に送出する。
【００７１】
ビデオフィルタ１６は、図５（Ｅ）に示すように、第１のＭＰＥＧ復号器１５Ａから２番目のＧＯＰ(2)のB2のベースバンドストリームデータが出力し終えたタイミングで処理を開始する。この後第１〜第３のＭＰＥＧ復号器１５Ａ〜１５Ｃから与えられるベースバンドストリームデータＳ４Ａ〜Ｓ４Ｃについて、2倍速再生の場合では、図６（Ａ）のピクチャの詳細構成を示した図6（Ｂ）に示すように、上段に表示されたピクチャ（トップフィールドデータ）のピクチャ内トップフィールドであるピクチャのフィールドB1tとフィールドI3tを選択し、当該ピクチャ内トップフィールド間のフィールド間隔が等間隔になるように、図６（Ｂ）の下段に表示されたピクチャ（ボトムフィールドデータ）のピクチャ内トップフィールドであるピクチャのフィールドB2tを選択し、図５（Ｅ）のピクチャの詳細構成を示した図６（Ｃ）に示すように、当該ピクチャのフィールドB2tをフレーム画像内ボトムフィールドに重心移動させて、フレーム画像内ボトムフィールドとして表示させるようにして合成画像を生成する。そしてこの後同様にして合成画像を順次生成して、この合成画像に対して必要に応じてエフェクト処理を施し、かくして得られた合成ベースバンドストリームデータＳ５をビデオモニタ１７に送出する。
【００７２】
このようにしてこの再生装置１０においては、２倍速再生された滑らかな動画像の合成ベースバンドストリームデータＳ５を生成し、この合成ベースバンドストリームデータＳ５に基づく２倍速再生動画像をビデオモニタ１７に表示させる。
【００７３】
（２−２−２）３倍速再生動作時における再生装置の具体的処理
３倍速再生動作時、記憶部１１は、図７（Ａ）に示すように、指定されたＡＶコンテンツのＭＰＥＧストリームデータＳ３を３倍速で読み出し、これをデータ振分け部１４に送出する。
【００７４】
データ振分け部１４は、供給されるＭＰＥＧストリームデータＳ３に基づいて、図３について上述した完結ピクチャ群ＰＳを順次生成し、これら完結ピクチャ群ＰＳを順次循環的に第１〜第４のＭＰＥＧ復号器１５Ａ〜１５Ｄに振り分ける。従って、ｋ＝１，２，……として、第１のＭＰＥＧ復号器１５Ａには、（４ｋ−３）番目の完結ピクチャ群ＰＳのＭＰＥＧストリームデータＳ３Ａが振り分けられ、第２のＭＰＥＧ復号器１５Ｂには、（４ｋ−２）番目の完結ピクチャ群ＰＳのＭＰＥＧストリームデータＳ３Ｂが振り分けられ、第３のＭＰＥＧ復号器１５Ｃには、（４ｋ−１）番目の完結ピクチャ群ＰＳのＭＰＥＧストリームデータＳ３Ｃが振り分けられ、第４のＭＰＥＧ復号器１５Ｄには、４ｋ番目の完結ピクチャ群ＰＳのＭＰＥＧストリームデータＳ３Ｄが振り分けられる。
【００７５】
ただし３倍速再生動作時では、図７（Ｆ）に示すように、２番目のＧＯＰ(2)のピクチャB1及びピクチャB2から再生が開始されるため、データ振分け部１４は、最初の完結ピクチャ群ＰＳについては、２倍速再生動作時と同様の各符号化データ（ＭＰＥＧストリームデータＳ３Ａ）のみを第１のＭＰＥＧ復号器１５Ａに送出する。
【００７６】
第１のＭＰＥＧ復号器１５Ａは、図７（Ｂ）に示すように、データ振分け部１４から供給される完結ピクチャ群ＰＳのＭＰＥＧストリームデータＳ３Ａを順次蓄積すると共に、例えば２番目のＧＯＰ(2)のB10の符号化データが記憶部１１から読み出されたタイミングで復号化処理を開始し、当該完結ピクチャ群ＰＳ内の各ピクチャの符号化データ（ＭＰＥＧストリームデータＳ３Ａ）を順次復号する。また第１のＭＰＥＧ復号器１５Ａは、これ以降に与えられる完結ピクチャ群ＰＳのＭＰＥＧストリームデータＳ３Ａについてもそれぞれ所定のタイミングで順次復号化処理し、この結果として得られたベースバンドストリームデータＳ４Ａを順次ビデオフィルタ１６に送出する。
【００７７】
また第２のＭＰＥＧ復号器１５Ｂは、図７（Ｃ）に示すように、データ振分け部１４から供給される完結ピクチャ群ＰＳのＭＰＥＧストリームデータＳ３Ｂを順次蓄積すると共に、第１のＭＰＥＧ復号器１５Ａが復号化処理を開始するタイミングから３フレーム期間分先のタイミングで復号化処理を開始し、当該完結ピクチャ群ＰＳ内の各ピクチャの符号化データ（ＭＰＥＧストリームデータＳ３Ｂ）を順次復号する。また第２のＭＰＥＧ復号器１５Ｂは、これ以降に与えられる完結ピクチャ群ＰＳのＭＰＥＧストリームデータＳ３Ｂについてもそれぞれ所定のタイミングで順次復号化処理し、この結果として得られたベースバンドストリームデータＳ４Ｂを順次ビデオフィルタ１６に送出する。
【００７８】
さらに第３のＭＰＥＧ復号器１５Ｃは、図７（Ｄ）に示すように、データ振分け部１４から供給される完結ピクチャ群ＰＳのＭＰＥＧストリームデータＳ３Ｃを順次蓄積すると共に、第１のＭＰＥＧ復号器１５Ａが１番目のＧＯＰ(1)のピクチャP9についての復号化処理を開始するタイミングで復号化処理を開始し、当該完結ピクチャ群ＰＳ内の各ピクチャの符号化データ（ＭＰＥＧストリームデータＳ３Ｃ）を順次復号する。また第３のＭＰＥＧ復号器１５Ｃは、これ以降に与えられる完結ピクチャ群ＰＳのＭＰＥＧストリームデータＳ３Ｃについてもそれぞれ所定のタイミングで順次復号化処理し、この結果として得られたベースバンドストリームデータＳ４Ｃを順次ビデオフィルタ１６に送出する。
【００７９】
さらに第４のＭＰＥＧ復号器１５Ｄは、図７（Ｅ）に示すように、データ振分け部１４から供給される完結ピクチャ群ＰＳのＭＰＥＧストリームデータＳ３Ｄを順次蓄積すると共に、第１のＭＰＥＧ復号器１５Ａが２番目のＧＯＰ(2)のピクチャB2についての復号化処理を開始するタイミングで復号化処理を開始し、当該完結ピクチャ群ＰＳ内の各ピクチャの符号化データ（ＭＰＥＧストリームデータＳ３Ｄ）を順次復号する。また第４のＭＰＥＧ復号器１５Ｄは、これ以降に与えられる完結ピクチャ群ＰＳのＭＰＥＧストリームデータＳ３Ｄについてもそれぞれ所定のタイミングで順次復号化処理し、この結果として得られたベースバンドストリームデータＳ４Ｄを順次ビデオフィルタ１６に送出する。
【００８０】
ビデオフィルタ１６は、図７（Ｆ）に示すように、第１のＭＰＥＧ復号器１５Ａから２番目のＧＯＰ(2)のB2のベースバンドストリームデータが出力し終えたタイミングで処理を開始する。この後第１〜第４のＭＰＥＧ復号器１５Ａ〜１５Ｄから与えられるベースバンドストリームデータＳ４Ａ〜Ｓ４Ｄについて、3倍速再生の場合では図８（Ａ）のピクチャの詳細構成を示した図８（Ｂ）に示すように、上段に表示されたピクチャ（トップフィールドデータ）のピクチャ内トップフィールドであるピクチャのフィールドB1tとフィールドI3tを選択し、当該ピクチャ内トップフィールド間のフィールド間隔が等間隔になるように、図８（Ｂ）の下段に表示されたピクチャ（ボトムフィールドデータ）のピクチャ内トップフィールドであるピクチャのフィールドB2tを選択し、図７（Ｆ）のピクチャの詳細構成を示した図８（Ｃ）に示すように、当該ピクチャのフィールドB2tをそのままフレーム画像内ボトムフィールドとして表示させるようにして合成画像を生成する。そしてこの後同様にして合成画像を順次生成して、この合成画像に対して必要に応じてエフェクト処理を施し、かくして得られた合成ベースバンドストリームデータＳ５をビデオモニタ１７に送出する。
【００８１】
このようにしてこの再生装置１０においては、３倍速再生された滑らかな動画像の合成ベースバンドストリームデータＳ５を生成し、この合成ベースバンドストリームデータＳ５に基づく３倍速再生動画像をビデオモニタ１７に表示させる。
【００８２】
（２−２−３）４倍速再生動作時における再生装置の具体的処理
４倍速再生動作時、記憶部１１は、図９（Ａ）に示すように、指定されたＡＶコンテンツのＭＰＥＧストリームデータＳ３を４倍速で読み出し、これをデータ振分け部１４に送出する。
【００８３】
データ振分け部１４は、供給されるＭＰＥＧストリームデータＳ３に基づいて、図３について上述した完結ピクチャ群ＰＳを順次生成し、これら完結ピクチャ群ＰＳを２倍速再生動作時と同様に順次循環的に第１〜第３のＭＰＥＧ復号器１５Ａ〜１５Ｃに振り分ける。
【００８４】
ただし４倍速再生動作時には、図９（Ｅ）に示すように、２番目のＧＯＰ(2)のピクチャB1及びピクチャI3から再生が開始されるため、データ振分け部１４は、図９（Ｂ）に示すように、最初の完結ピクチャ群ＰＳについては、２番目のＧＯＰ(2)のピクチャB1及びピクチャＩ3を復号化するのに必要な１番目のＧＯＰ(1)のピクチャI3、ピクチャP6、ピクチャP9、ピクチャP12及びピクチャP15並びに２番目のＧＯＰ(2)のピクチャI3及びピクチャB1の各符号化データ（ＭＰＥＧストリームデータＳ３Ａ）のみを第１のＭＰＥＧ復号器１５Ａに送出する。
【００８５】
第１のＭＰＥＧ復号器１５Ａは、図９（Ｂ）に示すように、データ振分け部１４から供給される完結ピクチャ群ＰＳのＭＰＥＧストリームデータＳ３Ａを順次蓄積すると共に、例えば２番目のＧＯＰ(2)のB4の符号化データが記憶部１１から読み出されたタイミングで復号化処理を開始し、当該完結ピクチャ群ＰＳ内の各ピクチャの符号化データ（ＭＰＥＧストリームデータＳ３Ａ）を順次復号する。また第１のＭＰＥＧ復号器１５Ａは、これ以降に与えられる完結ピクチャ群ＰＳのＭＰＥＧストリームデータＳ３Ａについてもそれぞれ所定のタイミングで順次復号化処理し、この結果として得られたベースバンドストリームデータＳ４Ａを順次ビデオフィルタ１６に送出する。
【００８６】
また第２のＭＰＥＧ復号器１５Ｂは、図９（Ｃ）に示すように、データ振分け部１４から供給される完結ピクチャ群ＰＳのＭＰＥＧストリームデータＳ３Ｂを順次蓄積すると共に、第１のＭＰＥＧ復号器１５Ａが１番目のＧＯＰ(1)のピクチャI3についての復号化処理を開始するタイミングと同じタイミングで復号化処理を開始し、当該完結ピクチャ群ＰＳ内の各ピクチャの符号化データ（ＭＰＥＧストリームデータＳ３Ｂ）を順次復号する。また第２のＭＰＥＧ復号器１５Ｂは、これ以降に与えられる完結ピクチャ群ＰＳのＭＰＥＧストリームデータＳ３Ｂについてもそれぞれ所定のタイミングで順次復号化処理し、この結果として得られたベースバンドストリームデータＳ４Ｂを順次ビデオフィルタ１６に送出する。
【００８７】
さらに第３のＭＰＥＧ復号器１５Ｃは、図９（Ｄ）に示すように、データ振分け部１４から供給される完結ピクチャ群ＰＳのＭＰＥＧストリームデータＳ３Ｃを順次蓄積すると共に、第１のＭＰＥＧ復号器１５Ａが１番目のＧＯＰ(1)のピクチャP12についての復号化処理を開始するタイミングで復号化処理を開始し、当該完結ピクチャ群ＰＳ内の各ピクチャの符号化データ（ＭＰＥＧストリームデータＳ３Ｃ）を順次復号する。また第３のＭＰＥＧ復号器１５Ｃは、これ以降に与えられる完結ピクチャ群ＰＳのＭＰＥＧストリームデータＳ３Ｃについてもそれぞれ所定のタイミングで順次復号化処理し、この結果として得られたベースバンドストリームデータＳ４Ｃを順次ビデオフィルタ１６に送出する。
【００８８】
ビデオフィルタ１６は、図９（Ｅ）に示すように、第１のＭＰＥＧ復号器１５Ａから２番目のＧＯＰ(2)のB1のベースバンドストリームデータが出力し終えたタイミングで処理を開始し、この後第１〜第３のＭＰＥＧ復号器１５Ａ〜１５Ｃから与えられるベースバンドストリームデータＳ４Ａ〜Ｓ４Ｃについて、4倍速再生の場合では、２倍速再生動作時と同様に、図１０の上段に表示されたピクチャ（トップフィールドデータ）のピクチャ内トップフィールドを、例えばフレーム画像内トップフィールドとして、下段に表示されたピクチャ（ボトムフィールドデータ）のピクチャ内トップフィールドを、例えばフレーム画像内ボトムフィールドとして表示させるようにして合成画像を順次生成すると共に、この合成画像に対して必要に応じてエフェクト処理を施し、かくして得られた合成ベースバンドストリームデータＳ５をビデオモニタ１７に送出する。
【００８９】
このようにしてこの再生装置１０においては、４倍速再生された滑らかな動画像の合成ベースバンドストリームデータＳ５を生成し、この合成ベースバンドストリームデータＳ５に基づく４倍速再生動画像をビデオモニタ１７に表示させる。
【００９０】
（２−２−４）５倍速再生動作時における再生装置の具体的処理
５倍速再生動作時、記憶部１１は、図１１（Ａ）に示すように、指定されたＡＶコンテンツのＭＰＥＧストリームデータＳ３を５倍速で読み出し、これをデータ振分け部１４に送出する。
【００９１】
データ振分け部１４は、供給されるＭＰＥＧストリームデータＳ３に基づいて、図３について上述した完結ピクチャ群ＰＳを順次生成し、これら完結ピクチャ群ＰＳを３倍速再生動作時と同様に順次循環的に第１〜第４のＭＰＥＧ復号器１５Ａ〜１５Ｄに振り分ける。
【００９２】
ただし５倍速再生動作時には、図１１（Ｆ）に示すように、２番目のＧＯＰ(2)のピクチャB1及びピクチャI3から再生が開始されるため、データ振分け部１４は、図１１（Ｂ）に示すように、最初の完結ピクチャ群ＰＳについては、４倍速再生動作時と同様の各符号化データ（ＭＰＥＧストリームデータＳ３Ａ）のみを第１のＭＰＥＧ復号器１５Ａに送出する。
【００９３】
第１のＭＰＥＧ復号器１５Ａは、図１１（Ｂ）に示すように、データ振分け部１４から供給される完結ピクチャ群ＰＳのＭＰＥＧストリームデータＳ３Ａを順次蓄積すると共に、例えば２番目のＧＯＰ(2)のB1の符号化データが記憶部１１から読み出されたタイミングで復号化処理を開始し、当該完結ピクチャ群ＰＳ内の各ピクチャの符号化データ（ＭＰＥＧストリームデータＳ３Ａ）を順次復号する。また第１のＭＰＥＧ復号器１５Ａは、これ以降に与えられる完結ピクチャ群ＰＳのＭＰＥＧストリームデータＳ３Ａについてもそれぞれ所定のタイミングで順次復号化処理し、この結果として得られたベースバンドストリームデータＳ４Ａを順次ビデオフィルタ１６に送出する。
【００９４】
また第２のＭＰＥＧ復号器１５Ｂは、図１１（Ｃ）に示すように、データ振分け部１４から供給される完結ピクチャ群ＰＳのＭＰＥＧストリームデータＳ３Ｂを順次蓄積すると共に、第１のＭＰＥＧ復号器１５Ａが１番目のＧＯＰ(1)のピクチャI3についての復号化処理を開始するタイミングと同じタイミングで復号化処理を開始し、当該完結ピクチャ群ＰＳ内の各ピクチャの符号化データ（ＭＰＥＧストリームデータＳ３Ｂ）を順次復号する。また第２のＭＰＥＧ復号器１５Ｂは、これ以降に与えられる完結ピクチャ群ＰＳのＭＰＥＧストリームデータＳ３Ｂについてもそれぞれ所定のタイミングで順次復号化処理し、この結果として得られたベースバンドストリームデータＳ４Ｂを順次ビデオフィルタ１６に送出する。
【００９５】
さらに第３のＭＰＥＧ復号器１５Ｃは、図１１（Ｄ）に示すように、データ振分け部１４から供給される完結ピクチャ群ＰＳのＭＰＥＧストリームデータＳ３Ｃを順次蓄積すると共に、第１のＭＰＥＧ復号器１５Ａが１番目のＧＯＰ(1)のピクチャP12についての復号化処理を開始するタイミングで復号化処理を開始し、当該完結ピクチャ群ＰＳ内の各ピクチャの符号化データ（ＭＰＥＧストリームデータＳ３Ｃ）を順次復号する。また第３のＭＰＥＧ復号器１５Ｃは、これ以降に与えられる完結ピクチャ群ＰＳのＭＰＥＧストリームデータＳ３Ｃについてもそれぞれ所定のタイミングで順次復号化処理し、この結果として得られたベースバンドストリームデータＳ４Ｃを順次ビデオフィルタ１６に送出する。
【００９６】
さらに第４のＭＰＥＧ復号器１５Ｄは、図１１（Ｅ）に示すように、データ振分け部１４から供給される完結ピクチャ群ＰＳのＭＰＥＧストリームデータＳ３Ｄを順次蓄積すると共に、第１のＭＰＥＧ復号器１５Ａが２番目のＧＯＰ(2)のピクチャB1についての復号化処理を開始するタイミングで復号化処理を開始し、当該完結ピクチャ群ＰＳ内の各ピクチャの符号化データ（ＭＰＥＧストリームデータＳ３Ｄ）を順次復号する。また第４のＭＰＥＧ復号器１５Ｄは、これ以降に与えられる完結ピクチャ群ＰＳのＭＰＥＧストリームデータＳ３Ｄについてもそれぞれ所定のタイミングで順次復号化処理し、この結果として得られたベースバンドストリームデータＳ４Ｄを順次ビデオフィルタ１６に送出する。
【００９７】
ビデオフィルタ１６は、図１１（Ｆ）に示すように、第１のＭＰＥＧ復号器１５Ａから２番目のＧＯＰ(2)のB1のベースバンドストリームデータが出力し終えたタイミングで処理を開始し、この後第１〜第４のＭＰＥＧ復号器１５Ａ〜１５Ｄから与えられるベースバンドストリームデータＳ４Ａ〜Ｓ４Ｄについて、５倍速再生の場合では、３倍速再生動作時と同様に、図１２の上段に表示されたピクチャ（トップフィールドデータ）のピクチャ内トップフィールドを、例えばフレーム画像内トップフィールドとして、下段に表示されたピクチャ（ボトムフィールドデータ）のピクチャ内ボトムフィールドを、例えばフレーム画像内ボトムフィールドとして表示させるようにして合成画像を順次生成すると共に、この合成画像に対して必要に応じてエフェクト処理を施し、かくして得られた合成ベースバンドストリームデータＳ５をビデオモニタ１７に送出する。
【００９８】
このようにしてこの再生装置１０においては、５倍速再生された滑らかな動画像の合成ベースバンドストリームデータＳ５を生成し、この合成ベースバンドストリームデータＳ５に基づく５倍速再生動画像をビデオモニタ１７に表示させる。
【００９９】
（２−２−５）６倍速再生動作時における再生装置の具体的処理
６倍速再生動作時、記憶部１１は、図１３（Ａ）に示すように、指定されたＡＶコンテンツのＭＰＥＧストリームデータＳ３を６倍速で読み出し、これをデータ振分け部１４に送出する。
【０１００】
データ振分け部１４は、供給されるＭＰＥＧストリームデータＳ３に基づいて、図３について上述した完結ピクチャ群ＰＳを順次生成し、これら完結ピクチャ群ＰＳを順次循環的に第１〜第５のＭＰＥＧ復号器１５Ａ〜１５Ｅに振り分ける。従って、ｋ＝１，２，……として、第１のＭＰＥＧ復号器１５Ａには、（５ｋ−４）番目の完結ピクチャ群ＰＳのＭＰＥＧストリームデータＳ３Ａが振り分けられ、第２のＭＰＥＧ復号器１５Ｂには、（５ｋ−３）番目の完結ピクチャ群ＰＳのＭＰＥＧストリームデータＳ３Ｂが振り分けられ、第３のＭＰＥＧ復号器１５Ｃには、（５ｋ−２）番目の完結ピクチャ群ＰＳのＭＰＥＧストリームデータＳ３Ｃが振り分けられ、第４のＭＰＥＧ復号器１５Ｄには、（５ｋ−１）番目の完結ピクチャ群ＰＳのＭＰＥＧストリームデータＳ３Ｄが振り分けられ、第５のＭＰＥＧ復号器１５Ｅには、５ｋ番目の完結ピクチャ群ＰＳのＭＰＥＧストリームデータＳ３Ｅが振り分けられる。
【０１０１】
ただし６倍速再生動作時には、図１３（Ｇ）に示すように、２番目のＧＯＰ(2)のピクチャB1及びピクチャB4から再生が開始されるため、データ振分け部１４は、図１３（Ｂ）に示すように、最初の完結ピクチャ群ＰＳについては、４倍速再生動作時と同様の各符号化データ（ＭＰＥＧストリームデータＳ３Ａ）のみを第１のＭＰＥＧ復号器１５Ａに送出する。
【０１０２】
第１のＭＰＥＧ復号器１５Ａは、図１３（Ｂ）に示すように、データ振分け部１４から供給される完結ピクチャ群ＰＳのＭＰＥＧストリームデータＳ３Ａを順次蓄積すると共に、例えば２番目のＧＯＰ(2)のB13の符号化データが記憶部１１から読み出されたタイミングで復号化処理を開始し、当該完結ピクチャ群ＰＳ内の各ピクチャの符号化データ（ＭＰＥＧストリームデータＳ３Ａ）を順次復号する。また第１のＭＰＥＧ復号器１５Ａは、これ以降に与えられる完結ピクチャ群ＰＳのＭＰＥＧストリームデータＳ３Ａについてもそれぞれ所定のタイミングで順次復号化処理し、この結果として得られたベースバンドストリームデータＳ４Ａを順次ビデオフィルタ１６に送出する。
【０１０３】
また第２のＭＰＥＧ復号器１５Ｂは、図１３（Ｃ）に示すように、データ振分け部１４から供給される完結ピクチャ群ＰＳのＭＰＥＧストリームデータＳ３Ｂを順次蓄積すると共に、第１のＭＰＥＧ復号器１５Ａが復号化処理を開始するタイミングから２フレーム期間分先のタイミングで復号化処理を開始し、当該完結ピクチャ群ＰＳ内の各ピクチャの符号化データ（ＭＰＥＧストリームデータＳ３Ｂ）を順次復号する。また第２のＭＰＥＧ復号器１５Ｂは、これ以降に与えられる完結ピクチャ群ＰＳのＭＰＥＧストリームデータＳ３Ｂについてもそれぞれ所定のタイミングで順次復号化処理し、この結果として得られたベースバンドストリームデータＳ４Ｂを順次ビデオフィルタ１６に送出する。
【０１０４】
さらに第３のＭＰＥＧ復号器１５Ｃは、図１３（Ｄ）に示すように、データ振分け部１４から供給される完結ピクチャ群ＰＳのＭＰＥＧストリームデータＳ３Ｃを順次蓄積すると共に、第１のＭＰＥＧ復号器１５Ａが１番目のＧＯＰ(1)のピクチャP6についての復号化処理を開始するタイミングで復号化処理を開始し、当該完結ピクチャ群ＰＳ内の各ピクチャの符号化データ（ＭＰＥＧストリームデータＳ３Ｃ）を順次復号する。また第３のＭＰＥＧ復号器１５Ｃは、これ以降に与えられる完結ピクチャ群ＰＳのＭＰＥＧストリームデータＳ３Ｃについてもそれぞれ所定のタイミングで順次復号化処理し、この結果として得られたベースバンドストリームデータＳ４Ｃを順次ビデオフィルタ１６に送出する。
【０１０５】
さらに第４のＭＰＥＧ復号器１５Ｄは、図１３（Ｅ）に示すように、データ振分け部１４から供給される完結ピクチャ群ＰＳのＭＰＥＧストリームデータＳ３Ｄを順次蓄積すると共に、第１のＭＰＥＧ復号器１５Ａが１番目のＧＯＰ(1)のピクチャP12についての復号化処理を開始するタイミングで復号化処理を開始し、当該完結ピクチャ群ＰＳ内の各ピクチャの符号化データ（ＭＰＥＧストリームデータＳ３Ｄ）を順次復号する。また第４のＭＰＥＧ復号器１５Ｄは、これ以降に与えられる完結ピクチャ群ＰＳのＭＰＥＧストリームデータＳ３Ｄについてもそれぞれ所定のタイミング順次復号化処理し、この結果として得られたベースバンドストリームデータＳ４Ｄを順次ビデオフィルタ１６に送出する。
【０１０６】
さらに第５のＭＰＥＧ復号器１５Ｅは、図１３（Ｆ）に示すように、データ振分け部１４から供給される完結ピクチャ群ＰＳのＭＰＥＧストリームデータＳ３Ｅを順次蓄積すると共に、第１のＭＰＥＧ復号器１５Ａが２番目のＧＯＰ(2)のピクチャB1についての復号化処理を開始するタイミングで復号化処理を開始し、当該完結ピクチャ群ＰＳ内の各ピクチャの符号化データ（ＭＰＥＧストリームデータＳ３Ｅ）を順次復号する。また第５のＭＰＥＧ復号器１５Ｅは、これ以降に与えられる完結ピクチャ群ＰＳのＭＰＥＧストリームデータＳ３Ｅについてもそれぞれ所定のタイミングで順次復号化処理し、この結果として得られたベースバンドストリームデータＳ４Ｅを順次ビデオフィルタ１６に送出する。
【０１０７】
ビデオフィルタ１６は、図１３（Ｇ）に示すように、第１のＭＰＥＧ復号器１５Ａから２番目のＧＯＰ(2)のB1のベースバンドストリームデータが出力し終えたタイミングで処理を開始し、この後第１〜第５のＭＰＥＧ復号器１５Ａ〜１５Ｅから与えられるベースバンドストリームデータＳ４Ａ〜Ｓ４Ｅについて、６倍速再生の場合では、２倍速再生動作時と同様に、図１４の上段に表示されたピクチャ（トップフィールドデータ）のピクチャ内トップフィールドを、例えばフレーム画像内トップフィールドとして、図１４の下段に表示されたピクチャ（ボトムフィールドデータ）のピクチャ内トップフィールドを、例えばフレーム画像内ボトムフィールドとして表示させるようにして合成画像を順次生成すると共に、この合成画像に対して必要に応じてエフェクト処理を施し、かくして得られた合成ベースバンドストリームデータＳ５をビデオモニタ１７に送出する。
【０１０８】
このようにしてこの再生装置１０においては、６倍速再生された滑らかな動画像の合成ベースバンドストリームデータＳ５を生成し、この合成ベースバンドストリームデータＳ５に基づく６倍速再生動画像をビデオモニタ１７に表示させる。
【０１０９】
（２−２−６）７倍速再生動作時における再生装置の具体的処理
７倍速再生動作時、記憶部１１は、図１５（Ａ）に示すように、指定されたＡＶコンテンツのＭＰＥＧストリームデータＳ３を７倍速で読み出し、これをデータ振分け部１４に送出する。
【０１１０】
データ振分け部１４は、供給されるＭＰＥＧストリームデータＳ３に基づいて、図３について上述した完結ピクチャ群ＰＳを順次生成し、これら完結ピクチャ群ＰＳを６倍速再生動作時と同様に順次循環的に第１〜第５のＭＰＥＧ復号器１５Ａ〜１５Ｅに振り分ける。
【０１１１】
ただし７倍速再生動作時には、図１５（Ｇ）及びに示すように、２番目のＧＯＰ(2)のピクチャB1及びピクチャB4から再生が開始されるため、データ振分け部１４は、図１５（Ｂ）に示すように、最初の完結ピクチャ群ＰＳについては、４倍速動作時と同様の各符号化データ（ＭＰＥＧストリームデータＳ３Ａ）のみを第１のＭＰＥＧ復号器１５Ａに送出する。
【０１１２】
第１のＭＰＥＧ復号器１５Ａは、図１５（Ｂ）に示すように、データ振分け部１４から供給される完結ピクチャ群ＰＳのＭＰＥＧストリームデータＳ３Ａを順次蓄積すると共に、例えば２番目のＧＯＰ(2)のP12の符号化データが記憶部１１から読み出されたタイミングで復号化処理を開始し、当該完結ピクチャ群ＰＳ内の各ピクチャの符号化データ（ＭＰＥＧストリームデータＳ３Ａ）を順次復号する。また第１のＭＰＥＧ復号器１５Ａは、これ以降に与えられる完結ピクチャ群ＰＳのＭＰＥＧストリームデータＳ３Ａについてもそれぞれ所定のタイミングで順次復号化処理し、この結果として得られたベースバンドストリームデータＳ４Ａを順次ビデオフィルタ１６に送出する。
【０１１３】
また第２のＭＰＥＧ復号器１５Ｂは、図１５（Ｃ）に示すように、データ振分け部１４から供給される完結ピクチャ群ＰＳのＭＰＥＧストリームデータＳ３Ｂを順次蓄積すると共に、第１のＭＰＥＧ復号器１５Ａが１番目のＧＯＰ(1)のピクチャP6についての復号化処理を開始するタイミングで復号化処理を開始し、当該完結ピクチャ群ＰＳ内の各ピクチャの符号化データ（ＭＰＥＧストリームデータＳ３Ｂ）を順次復号する。また第２のＭＰＥＧ復号器１５Ｂは、これ以降に与えられる完結ピクチャ群ＰＳのＭＰＥＧストリームデータＳ３Ｂについてもそれぞれ所定のタイミングで順次復号化処理し、この結果として得られたベースバンドストリームデータＳ４Ｂを順次ビデオフィルタ１６に送出する。
【０１１４】
さらに第３のＭＰＥＧ復号器１５Ｃは、図１５（Ｄ）に示すように、データ振分け部１４から供給される完結ピクチャ群ＰＳのＭＰＥＧストリームデータＳ３Ｃを順次蓄積すると共に、第１のＭＰＥＧ復号器１５Ａが１番目のＧＯＰ(1)のピクチャP6についての復号化処理を開始するタイミングで復号化処理を開始し、当該完結ピクチャ群ＰＳ内の各ピクチャの符号化データ（ＭＰＥＧストリームデータＳ３Ｃ）を順次復号する。また第３のＭＰＥＧ復号器１５Ｃは、これ以降に与えられる完結ピクチャ群ＰＳのＭＰＥＧストリームデータＳ３Ｃについてもそれぞれ所定のタイミングで順次復号化処理し、この結果として得られたベースバンドストリームデータＳ４Ｃを順次ビデオフィルタ１６に送出する。
【０１１５】
さらに第４のＭＰＥＧ復号器１５Ｄは、図１５（Ｅ）に示すように、データ振分け部１４から供給される完結ピクチャ群ＰＳのＭＰＥＧストリームデータＳ３Ｄを順次蓄積すると共に、第１のＭＰＥＧ復号器１５Ａが２番目のＧＯＰ(2)のピクチャI3についての復号化処理を開始するタイミングで復号化処理を開始し、当該完結ピクチャ群ＰＳ内の各ピクチャの符号化データ（ＭＰＥＧストリームデータＳ３Ｄ）を順次復号する。また第４のＭＰＥＧ復号器１５Ｄは、これ以降に与えられる完結ピクチャ群ＰＳのＭＰＥＧストリームデータＳ３Ｄについてもそれぞれ所定のタイミングで順次復号化処理し、この結果として得られたベースバンドストリームデータＳ４Ｄを順次ビデオフィルタ１６に送出する。
【０１１６】
さらに第５のＭＰＥＧ復号器１５Ｅは、図１５（Ｆ）に示すように、データ振分け部１４から供給される完結ピクチャ群ＰＳのＭＰＥＧストリームデータＳ３Ｅを順次蓄積すると共に、第１のＭＰＥＧ復号器１５Ａが６番目のＧＯＰ(6)のピクチャI3についての復号化処理を開始するタイミングで復号化処理を開始し、当該完結ピクチャ群ＰＳ内の各ピクチャの符号化データ（ＭＰＥＧストリームデータＳ３Ｅ）を順次復号する。また第５のＭＰＥＧ復号器１５Ｅは、これ以降に与えられる完結ピクチャ群ＰＳのＭＰＥＧストリームデータＳ３Ｅについてもそれぞれ所定のタイミングで順次復号化処理し、この結果として得られたベースバンドストリームデータＳ４Ｅを順次ビデオフィルタ１６に送出する。
【０１１７】
ビデオフィルタ１６は、図１５（Ｇ）に示すように、第１のＭＰＥＧ復号器１５Ａから２番目のＧＯＰ(2)のB1のベースバンドストリームデータが出力し終えたタイミングで処理を開始し、この後第１〜第５のＭＰＥＧ復号器１５Ａ〜１５Ｅから与えられるベースバンドストリームデータＳ４Ａ〜Ｓ４Ｅについて、7倍速再生の場合、３倍速再生動作時と同様に、図１６の上段に表示されたピクチャ（トップフィールドデータ）のピクチャ内トップフィールドを、例えばフレーム画像内トップフィールドとして、図１６の下段に表示されたピクチャ（ボトムフィールドデータ）のピクチャ内ボトムフィールドを、例えばフレーム画像内ボトムフィールドとして表示させるようにして合成画像を順次生成すると共に、この合成画像に対して必要に応じてエフェクト処理を施し、かくして得られた合成ベースバンドストリームデータＳ５をビデオモニタ１７に送出する。
【０１１８】
このようにしてこの再生装置１０においては、７倍速再生された滑らかな動画像の合成ベースバンドストリームデータＳ５を生成し、この合成ベースバンドストリームデータＳ５に基づく７倍速再生動画像をビデオモニタ１７に表示させる。
【０１１９】
（２−２−７）８倍速再生動作時における再生装置の具体的処理
８倍速再生動作時、記憶部１１は、図１８（Ａ）に示すように、指定されたＡＶコンテンツのＭＰＥＧストリームデータＳ３を８倍速で読み出し、これをデータ振分け部１４に送出する。
【０１２０】
データ振分け部１４は、供給されるＭＰＥＧストリームデータＳ３に基づいて、図３について上述した完結ピクチャ群ＰＳを順次生成し、これら完結ピクチャ群ＰＳを６倍速再生動作時と同様に順次循環的に第１〜第５のＭＰＥＧ復号器１５Ａ〜１５Ｅに振り分ける。
【０１２１】
ただし８倍速再生動作時には、図１８（Ｇ）及びに示すように、２番目のＧＯＰ(2)のピクチャB1及びピクチャB5から再生が開始されるため、データ振分け部１４は、図１８（Ｂ）に示すように、最初の完結ピクチャ群ＰＳについては、４倍速再生動作時と同様の各符号化データ（ＭＰＥＧストリームデータＳ３Ａ）のみを第１のＭＰＥＧ復号器１５Ａに送出する。
【０１２２】
第１のＭＰＥＧ復号器１５Ａは、図１８（Ｂ）に示すように、データ振分け部１４から供給される完結ピクチャ群ＰＳのＭＰＥＧストリームデータＳ３Ａを順次蓄積すると共に、例えば２番目のＧＯＰ(2)のP9の符号化データが記憶部１１から読み出されたタイミングで復号化処理を開始し、当該完結ピクチャ群ＰＳ内の各ピクチャの符号化データ（ＭＰＥＧストリームデータＳ３Ａ）を順次復号する。また第１のＭＰＥＧ復号器１５Ａは、これ以降に与えられる完結ピクチャ群ＰＳのＭＰＥＧストリームデータＳ３Ａについてもそれぞれ所定のタイミングで順次復号化処理し、この結果として得られたベースバンドストリームデータＳ４Ａを順次ビデオフィルタ１６に送出する。
【０１２３】
また第２のＭＰＥＧ復号器１５Ｂは、図１８（Ｃ）に示すように、データ振分け部１４から供給される完結ピクチャ群ＰＳのＭＰＥＧストリームデータＳ３Ｂを順次蓄積すると共に、第１のＭＰＥＧ復号器１５Ａが１番目のＧＯＰ(1)のピクチャI3についての復号化処理を開始するタイミングと同じタイミングで復号化処理を開始し、当該完結ピクチャ群ＰＳ内の各ピクチャの符号化データ（ＭＰＥＧストリームデータＳ３Ｂ）を順次復号する。また第２のＭＰＥＧ復号器１５Ｂは、これ以降に与えられる完結ピクチャ群ＰＳのＭＰＥＧストリームデータＳ３Ｂについてもそれぞれ所定のタイミングで順次復号化処理し、この結果として得られたベースバンドストリームデータＳ４Ｂを順次ビデオフィルタ１６に送出する。
【０１２４】
さらに第３のＭＰＥＧ復号器１５Ｃは、図１８（Ｄ）に示すように、データ振分け部１４から供給される完結ピクチャ群ＰＳのＭＰＥＧストリームデータＳ３Ｃを順次蓄積すると共に、第１のＭＰＥＧ復号器１５Ａが１番目のＧＯＰ(1)のピクチャP12についての復号化処理を開始するタイミングで復号化処理を開始し、当該完結ピクチャ群ＰＳ内の各ピクチャの符号化データ（ＭＰＥＧストリームデータＳ３Ｃ）を順次復号する。また第３のＭＰＥＧ復号器１５Ｃは、これ以降に与えられる完結ピクチャ群ＰＳのＭＰＥＧストリームデータＳ３Ｃについてもそれぞれ所定のタイミングで順次復号化処理し、この結果として得られたベースバンドストリームデータＳ４Ｃを順次ビデオフィルタ１６に送出する。
【０１２５】
さらに第４のＭＰＥＧ復号器１５Ｄは、図１８（Ｅ）に示すように、データ振分け部１４から供給される完結ピクチャ群ＰＳのＭＰＥＧストリームデータＳ３Ｄを順次蓄積すると共に、第１のＭＰＥＧ復号器１５Ａが２番目のＧＯＰ(2)のピクチャI3についての復号化処理を開始するタイミングで復号化処理を開始し、当該完結ピクチャ群ＰＳ内の各ピクチャの符号化データ（ＭＰＥＧストリームデータＳ３Ｄ）を順次復号する。また第４のＭＰＥＧ復号器１５Ｄは、これ以降に与えられる完結ピクチャ群ＰＳのＭＰＥＧストリームデータＳ３Ｄについてもそれぞれ所定のタイミングで順次復号化処理し、この結果として得られたベースバンドストリームデータＳ４Ｄを順次ビデオフィルタ１６に送出する。
【０１２６】
さらに第５のＭＰＥＧ復号器１５Ｅは、図１８（Ｆ）に示すように、データ振分け部１４から供給される完結ピクチャ群ＰＳのＭＰＥＧストリームデータＳ３Ｅを順次蓄積すると共に、第１のＭＰＥＧ復号器１５Ａが２番目のＧＯＰ(2)のピクチャI3についての復号化処理を開始するタイミングで復号化処理を開始し、当該完結ピクチャ群ＰＳ内の各ピクチャの符号化データ（ＭＰＥＧストリームデータＳ３Ｅ）を順次復号する。また第５のＭＰＥＧ復号器１５Ｅは、これ以降に与えられる完結ピクチャ群ＰＳのＭＰＥＧストリームデータＳ３Ｅについてもそれぞれ所定のタイミングで順次復号化処理し、この結果として得られたベースバンドストリームデータＳ４Ｅを順次ビデオフィルタ１６に送出する。
【０１２７】
ビデオフィルタ１６は、図１８（Ｇ）に示すように、第１のＭＰＥＧ復号器１５Ａから２番目のＧＯＰ(2)のB1のベースバンドストリームデータが出力し終えたタイミングで処理を開始し、この後第１〜第５のＭＰＥＧ復号器１５Ａ〜１５Ｅから与えられるベースバンドストリームデータＳ４Ａ〜Ｓ４Ｅについて、８倍速再生の場合では、２倍速再生動作時と同様に、図２０の上段に表示されたピクチャ（トップフィールドデータ）のピクチャ内トップフィールドを、例えばフレーム画像内トップフィールドとして、図２０の下段に表示されたピクチャ（ボトムフィールドデータ）のピクチャ内トップフィールドを、例えばフレーム画像内ボトムフィールドとして表示させるようにして合成画像を順次生成すると共に、この合成画像に対して必要に応じてエフェクト処理を施し、かくして得られた合成ベースバンドストリームデータＳ５をビデオモニタ１７に送出する。
【０１２８】
このようにしてこの再生装置１０においては、８倍速再生された滑らかな動画像の合成ベースバンドストリームデータＳ５を生成し、この合成ベースバンドストリームデータＳ５に基づく８倍速再生動画像をビデオモニタ１７に表示させる。
【０１２９】
（２−２−８）１０倍速再生動作時における再生装置の具体的処理
１０倍速再生動作時、記憶部１１は、図２１（Ａ）に示すように、指定されたＡＶコンテンツのＭＰＥＧストリームデータＳ３を１０倍速で読み出し、これをデータ振分け部１４に送出する。
【０１３０】
データ振分け部１４は、供給されるＭＰＥＧストリームデータＳ３に基づいて、図３について上述した完結ピクチャ群ＰＳを順次生成し、これら完結ピクチャ群ＰＳを順次循環的に第１〜第５のＭＰＥＧ復号器１５Ａ〜１５Ｆに振り分ける。従って、ｋ＝１，２，……として、第１のＭＰＥＧ復号器１５Ａには、（６ｋ−５）番目の完結ピクチャ群ＰＳのＭＰＥＧストリームデータＳ３Ａが振り分けられ、第２のＭＰＥＧ復号器１５Ｂには、（６ｋ−４）番目の完結ピクチャ群ＰＳのＭＰＥＧストリームデータＳ３Ｂが振り分けられ、第３のＭＰＥＧ復号器１５Ｃには、（６ｋ−３）番目の完結ピクチャ群ＰＳのＭＰＥＧストリームデータＳ３Ｃが振り分けられ、第４のＭＰＥＧ復号器１５Ｄには、（６ｋ−２）番目の完結ピクチャ群ＰＳのＭＰＥＧストリームデータＳ３Ｄが振り分けられ、第４のＭＰＥＧ復号器１５Ｅには、（６ｋ−１）番目の完結ピクチャ群ＰＳのＭＰＥＧストリームデータＳ３Ｅが振り分けられ、第６のＭＰＥＧ復号器１５Ｆには、６ｋ番目の完結ピクチャ群ＰＳのＭＰＥＧストリームデータＳ３Ｆが振り分けられる。
【０１３１】
ただし１０倍速再生動作時には、図２１（Ｈ）に示すように、２番目のＧＯＰ(2)のピクチャB1及びピクチャP6から再生が開始されるため、データ振分け部１４は、図２１（Ｂ）に示すように、最初の完結ピクチャ群ＰＳについては、４倍速再生動作時と同様の各符号化データ（ＭＰＥＧストリームデータＳ３Ａ）のみを第１のＭＰＥＧ復号器１５Ａに送出する。
【０１３２】
第１のＭＰＥＧ復号器１５Ａは、図２１（Ｂ）に示すように、データ振分け部１４から供給される完結ピクチャ群ＰＳのＭＰＥＧストリームデータＳ３Ａを順次蓄積すると共に、例えば２番目のＧＯＰ(2)のI3の符号化データが記憶部１１から読み出されたタイミングで復号化処理を開始し、当該完結ピクチャ群ＰＳ内の各ピクチャの符号化データ（ＭＰＥＧストリームデータＳ３Ａ）を順次復号する。また第１のＭＰＥＧ復号器１５Ａは、これ以降に与えられる完結ピクチャ群ＰＳのＭＰＥＧストリームデータＳ３Ａについてもそれぞれ所定のタイミングで順次復号化処理し、この結果として得られたベースバンドストリームデータＳ４Ａを順次ビデオフィルタ１６に送出する。
【０１３３】
また第２のＭＰＥＧ復号器１５Ｂは、図２１（Ｃ）に示すように、データ振分け部１４から供給される完結ピクチャ群ＰＳのＭＰＥＧストリームデータＳ３Ｂを順次蓄積すると共に、第１のＭＰＥＧ復号器１５Ａが１番目のＧＯＰ(1)のピクチャI3についての復号化処理を開始するタイミングと同じタイミングで復号化処理を開始し、当該完結ピクチャ群ＰＳ内の各ピクチャの符号化データ（ＭＰＥＧストリームデータＳ３Ｂ）を順次復号する。また第２のＭＰＥＧ復号器１５Ｂは、これ以降に与えられる完結ピクチャ群ＰＳのＭＰＥＧストリームデータＳ３Ｂについてもそれぞれ所定のタイミングで順次復号化処理し、この結果として得られたベースバンドストリームデータＳ４Ｂを順次ビデオフィルタ１６に送出する。
【０１３４】
さらに第３のＭＰＥＧ復号器１５Ｃは、図２１（Ｄ）に示すように、データ振分け部１４から供給される完結ピクチャ群ＰＳのＭＰＥＧストリームデータＳ３Ｃを順次蓄積すると共に、第１のＭＰＥＧ復号器１５Ａが１番目のＧＯＰ(1)のピクチャP9についての復号化処理を開始するタイミングで復号化処理を開始し、当該完結ピクチャ群ＰＳ内の各ピクチャの符号化データ（ＭＰＥＧストリームデータＳ３Ｃ）を順次復号する。また第３のＭＰＥＧ復号器１５Ｃは、これ以降に与えられる完結ピクチャ群ＰＳのＭＰＥＧストリームデータＳ３Ｃについてもそれぞれ所定のタイミングで順次復号化処理し、この結果として得られたベースバンドストリームデータＳ４Ｃを順次ビデオフィルタ１６に送出する。
【０１３５】
さらに第４のＭＰＥＧ復号器１５Ｄは、図２１（Ｅ）に示すように、データ振分け部１４から供給される完結ピクチャ群ＰＳのＭＰＥＧストリームデータＳ３Ｄを順次蓄積すると共に、第１のＭＰＥＧ復号器１５Ａが１番目のＧＯＰ(1)のピクチャP12についての復号化処理を開始するタイミングで復号化処理を開始し、当該完結ピクチャ群ＰＳ内の各ピクチャの符号化データ（ＭＰＥＧストリームデータＳ３Ｄ）を順次復号する。また第４のＭＰＥＧ復号器１５Ｄは、これ以降に与えられる完結ピクチャ群ＰＳのＭＰＥＧストリームデータＳ３Ｄについてもそれぞれ所定のタイミングで順次復号化処理し、この結果として得られたベースバンドストリームデータＳ４Ｄを順次ビデオフィルタ１６に送出する。
【０１３６】
さらに第５のＭＰＥＧ復号器１５Ｅは、図２１（Ｆ）に示すように、データ振分け部１４から供給される完結ピクチャ群ＰＳのＭＰＥＧストリームデータＳ３Ｅを順次蓄積すると共に、第１のＭＰＥＧ復号器１５Ａが２番目のＧＯＰ(2)のピクチャI3についての復号化処理を開始するタイミングで復号化処理を開始し、当該完結ピクチャ群ＰＳ内の各ピクチャの符号化データ（ＭＰＥＧストリームデータＳ３Ｅ）を順次復号する。また第５のＭＰＥＧ復号器１５Ｅは、これ以降に与えられる完結ピクチャ群ＰＳのＭＰＥＧストリームデータＳ３Ｅについてもそれぞれ所定のタイミングで順次復号化処理し、この結果として得られたベースバンドストリームデータＳ４Ｅを順次ビデオフィルタ１６に送出する。
【０１３７】
さらに第６のＭＰＥＧ復号器１５Ｆは、図２１（Ｇ）に示すように、データ振分け部１４から供給される完結ピクチャ群ＰＳのＭＰＥＧストリームデータＳ３Ｆを順次蓄積すると共に、第１のＭＰＥＧ復号器１５Ａが２番目のＧＯＰ(2)のピクチャB1についての復号化処理を開始するタイミングで復号化処理を開始し、当該完結ピクチャ群ＰＳ内の各ピクチャの符号化データ（ＭＰＥＧストリームデータＳ３Ｆ）を順次復号する。また第６のＭＰＥＧ復号器１５Ｆは、これ以降に与えられる完結ピクチャ群ＰＳのＭＰＥＧストリームデータＳ３Ｆについてもそれぞれ所定のタイミングで順次復号化処理し、この結果として得られたベースバンドストリームデータＳ４Ｆを順次ビデオフィルタ１６に送出する。
【０１３８】
ビデオフィルタ１６は、図２１（Ｈ）に示すように、第１のＭＰＥＧ復号器１５Ａから２番目のＧＯＰ(2)のB1のベースバンドストリームデータが出力し終えたタイミングで処理を開始し、この後第１〜第６のＭＰＥＧ復号器１５Ａ〜１５Ｆから与えられるベースバンドストリームデータＳ４Ａ〜Ｓ４Ｅについて、１０倍速再生の場合では、２倍速再生動作時と同様に、図２３の上段に表示されたピクチャ（トップフィールドデータ）のピクチャ内トップフィールドを、例えばフレーム画像内トップフィールドとして、図２３の下段に表示されたピクチャ（ボトムフィールドデータ）のピクチャ内トップフィールドを、例えばフレーム画像内ボトムフィールドとして表示させるようにして合成画像を順次生成すると共に、この合成画像に対して必要に応じてエフェクト処理を施し、かくして得られた合成ベースバンドストリームデータＳ５をビデオモニタ１７に送出する。
【０１３９】
このようにしてこの再生装置１０においては、１０倍速再生された滑らかな動画像の合成ベースバンドストリームデータＳ５を生成し、この合成ベースバンドストリームデータＳ５に基づく１０倍速再生動画像をビデオモニタ１７に表示させる。
【０１４０】
（２−２−９）１５倍速再生動作時における再生装置の具体的処理
１５倍速再生動作時、記憶部１１は、図２４（Ａ）に示すように、指定されたＡＶコンテンツのＭＰＥＧストリームデータＳ３を１５倍速で読み出し、これをデータ振分け部１４に送出する。
【０１４１】
データ振分け部１４は、供給されるＭＰＥＧストリームデータＳ３に基づいて、図３について上述した完結ピクチャ群ＰＳを順次生成し、これら完結ピクチャ群ＰＳを順次循環的に第１〜第５のＭＰＥＧ復号器１５Ａ〜１５Ｈに振り分ける。従って、ｋ＝１，２，……として、第１のＭＰＥＧ復号器１５Ａには、（８ｋ−７）番目の完結ピクチャ群ＰＳのＭＰＥＧストリームデータＳ３Ａが振り分けられ、第２のＭＰＥＧ復号器１５Ｂには、（８ｋ−６）番目の完結ピクチャ群ＰＳのＭＰＥＧストリームデータＳ３Ｂが振り分けられ、第３のＭＰＥＧ復号器１５Ｃには、（８ｋ−５）番目の完結ピクチャ群ＰＳのＭＰＥＧストリームデータＳ３Ｃが振り分けられ、第４のＭＰＥＧ復号器１５Ｄには、（８ｋ−４）番目の完結ピクチャ群ＰＳのＭＰＥＧストリームデータＳ３Ｄが振り分けられ、第５のＭＰＥＧ復号器１５Ｅには、（８ｋ−３）番目の完結ピクチャ群ＰＳのＭＰＥＧストリームデータＳ３Ｅが振り分けられ、第６のＭＰＥＧ復号器１５Ｆには、（８ｋ−２）番目の完結ピクチャ群ＰＳのＭＰＥＧストリームデータＳ３Ｆが振り分けられ、第７のＭＰＥＧ復号器１５Ｇには、（８ｋ−１）番目の完結ピクチャ群ＰＳのＭＰＥＧストリームデータＳ３Ｇが振り分けられ、第８のＭＰＥＧ復号器１５Ｈには、８ｋ番目の完結ピクチャ群ＰＳのＭＰＥＧストリームデータＳ３Ｈが振り分けられる。
【０１４２】
ただし１５倍速再生動作時には、図２４（Ｉ）に示すように、２番目のＧＯＰ(2)のピクチャB1及びピクチャB8から再生が開始されるため、データ振分け部１４は、図２４（Ｂ）に示すように、最初の完結ピクチャ群ＰＳについては、４倍速再生動作時と同様の各符号化データ（ＭＰＥＧストリームデータＳ３Ａ）のみを第１のＭＰＥＧ復号器１５Ａに送出する。
【０１４３】
第１のＭＰＥＧ復号器１５Ａは、図２４（Ｂ）に示すように、データ振分け部１４から供給される完結ピクチャ群ＰＳのＭＰＥＧストリームデータＳ３Ａを順次蓄積すると共に、例えば２番目のＧＯＰ(2)のB1の符号化データが記憶部１１から読み出されたタイミングで復号化処理を開始し、当該完結ピクチャ群ＰＳ内の各ピクチャの符号化データ（ＭＰＥＧストリームデータＳ３Ａ）を順次復号する。また第１のＭＰＥＧ復号器１５Ａは、これ以降に与えられる完結ピクチャ群ＰＳのＭＰＥＧストリームデータＳ３Ａについてもそれぞれ所定のタイミングで順次復号化処理し、この結果として得られたベースバンドストリームデータＳ４Ａを順次ビデオフィルタ１６に送出する。
【０１４４】
また第２のＭＰＥＧ復号器１５Ｂは、図２４（Ｃ）に示すように、データ振分け部１４から供給される完結ピクチャ群ＰＳのＭＰＥＧストリームデータＳ３Ｂを順次蓄積すると共に、第１のＭＰＥＧ復号器１５Ａが１番目のＧＯＰ(1)のピクチャI3についての復号化処理を開始するタイミングと同じタイミングで復号化処理を開始し、当該完結ピクチャ群ＰＳ内の各ピクチャの符号化データ（ＭＰＥＧストリームデータＳ３Ｂ）を順次復号する。また第２のＭＰＥＧ復号器１５Ｂは、これ以降に与えられる完結ピクチャ群ＰＳのＭＰＥＧストリームデータＳ３Ｂについてもそれぞれ所定のタイミングで順次復号化処理し、この結果として得られたベースバンドストリームデータＳ４Ｂを順次ビデオフィルタ１６に送出する。
【０１４５】
さらに第３のＭＰＥＧ復号器１５Ｃは、図２４（Ｄ）に示すように、データ振分け部１４から供給される完結ピクチャ群ＰＳのＭＰＥＧストリームデータＳ３Ｃを順次蓄積すると共に、第１のＭＰＥＧ復号器１５Ａが１番目のＧＯＰ(1)のピクチャP6についての復号化処理を開始するタイミングで復号化処理を開始し、当該完結ピクチャ群ＰＳ内の各ピクチャの符号化データ（ＭＰＥＧストリームデータＳ３Ｃ）を順次復号する。また第３のＭＰＥＧ復号器１５Ｃは、これ以降に与えられる完結ピクチャ群ＰＳのＭＰＥＧストリームデータＳ３Ｃについてもそれぞれ所定のタイミングで順次復号化処理し、この結果として得られたベースバンドストリームデータＳ４Ｃを順次ビデオフィルタ１６に送出する。
【０１４６】
さらに第４のＭＰＥＧ復号器１５Ｄは、図２４（Ｅ）に示すように、データ振分け部１４から供給される完結ピクチャ群ＰＳのＭＰＥＧストリームデータＳ３Ｄを順次蓄積すると共に、第１のＭＰＥＧ復号器１５Ａが１番目のＧＯＰ(1)のピクチャP9についての復号化処理を開始するタイミングで復号化処理を開始し、当該完結ピクチャ群ＰＳ内の各ピクチャの符号化データ（ＭＰＥＧストリームデータＳ３Ｄ）を順次復号する。また第４のＭＰＥＧ復号器１５Ｄは、これ以降に与えられる完結ピクチャ群ＰＳのＭＰＥＧストリームデータＳ３Ｄについてもそれぞれ所定のタイミングで順次復号化処理し、この結果として得られたベースバンドストリームデータＳ４Ｄを順次ビデオフィルタ１６に送出する。
【０１４７】
さらに第５のＭＰＥＧ復号器１５Ｅは、図２４（Ｆ）に示すように、データ振分け部１４から供給される完結ピクチャ群ＰＳのＭＰＥＧストリームデータＳ３Ｅを順次蓄積すると共に、第１のＭＰＥＧ復号器１５Ａが１番目のＧＯＰ(1)のピクチャP12についての復号化処理を開始するタイミングで復号化処理を開始し、当該完結ピクチャ群ＰＳ内の各ピクチャの符号化データ（ＭＰＥＧストリームデータＳ３Ｅ）を順次復号する。また第５のＭＰＥＧ復号器１５Ｅは、これ以降に与えられる完結ピクチャ群ＰＳのＭＰＥＧストリームデータＳ３Ｅについてもそれぞれ所定のタイミングで順次復号化処理し、この結果として得られたベースバンドストリームデータＳ４Ｅを順次ビデオフィルタ１６に送出する。
【０１４８】
さらに第６のＭＰＥＧ復号器１５Ｆは、図２４（Ｇ）に示すように、データ振分け部１４から供給される完結ピクチャ群ＰＳのＭＰＥＧストリームデータＳ３Ｆを順次蓄積すると共に、第１のＭＰＥＧ復号器１５Ａが１番目のＧＯＰ(1)のピクチャP15についての復号化処理を開始するタイミングで復号化処理を開始し、当該完結ピクチャ群ＰＳ内の各ピクチャの符号化データ（ＭＰＥＧストリームデータＳ３Ｆ）を順次復号する。また第６のＭＰＥＧ復号器１５Ｆは、これ以降に与えられる完結ピクチャ群ＰＳのＭＰＥＧストリームデータＳ３Ｆについてもそれぞれ所定のタイミングで順次復号化処理し、この結果として得られたベースバンドストリームデータＳ４Ｆを順次ビデオフィルタ１６に送出する。
【０１４９】
さらに第７のＭＰＥＧ復号器１５Ｇは、図２４（Ｈ）に示すように、データ振分け部１４から供給される完結ピクチャ群ＰＳのＭＰＥＧストリームデータＳ３Ｆを順次蓄積すると共に、第１のＭＰＥＧ復号器１５Ａが２番目のＧＯＰ(2)のピクチャI3についての復号化処理を開始するタイミングで復号化処理を開始し、当該完結ピクチャ群ＰＳ内の各ピクチャの符号化データ（ＭＰＥＧストリームデータＳ３Ｇ）を順次復号する。また第７のＭＰＥＧ復号器１５Ｇは、これ以降に与えられる完結ピクチャ群ＰＳのＭＰＥＧストリームデータＳ３Ｇについてもそれぞれ所定のタイミングで順次復号化処理し、この結果として得られたベースバンドストリームデータＳ４Ｇを順次ビデオフィルタ１６に送出する。
【０１５０】
さらに第８のＭＰＥＧ復号器１５Ｈは、図２４（Ｉ）に示すように、データ振分け部１４から供給される完結ピクチャ群ＰＳのＭＰＥＧストリームデータＳ３Ｈを順次蓄積すると共に、第１のＭＰＥＧ復号器１５Ａが２番目のＧＯＰ(2)のピクチャB1についての復号化処理を開始するタイミングで復号化処理を開始し、当該完結ピクチャ群ＰＳ内の各ピクチャの符号化データ（ＭＰＥＧストリームデータＳ３Ｈ）を順次復号する。また第８のＭＰＥＧ復号器１５Ｈは、これ以降に与えられる完結ピクチャ群ＰＳのＭＰＥＧストリームデータＳ３Ｈについてもそれぞれ所定のタイミングで順次復号化処理し、この結果として得られたベースバンドストリームデータＳ４Ｈを順次ビデオフィルタ１６に送出する。
【０１５１】
ビデオフィルタ１６は、図２４（Ｊ）に示すように、第１のＭＰＥＧ復号器１５Ａから２番目のＧＯＰ(2)のB1のベースバンドストリームデータが出力し終えたタイミングで処理を開始し、この後第１〜第８のＭＰＥＧ復号器１５Ａ〜１５Ｈから与えられるベースバンドストリームデータＳ４Ａ〜Ｓ４Ｈについて、１５倍速再生の場合では、３倍速再生動作時と同様に、図２６の上段に示されたピクチャ（トップフィールドデータ）のピクチャ内トップフィールドを、例えばフレーム画像内トップフィールドとして、図２６の下段に示されたピクチャ（ボトムフィールドデータ）のピクチャ内ボトムフィールドを、例えばフレーム画像内ボトムフィールドとして表示させるように合成画像を順次生成すると共に、この合成画像に対して必要に応じてエフェクト処理を施し、かくして得られた合成ベースバンドストリームデータＳ５をビデオモニタ１７に送出する。
【０１５２】
このようにしてこの再生装置１０においては、１５倍速再生された滑らかな動画像の合成ベースバンドストリームデータＳ５を生成し、この合成ベースバンドストリームデータＳ５に基づく１５倍速再生動画像をビデオモニタ１７に表示させる。
【０１５３】
（２−３）高速再生動作処理手順
ここで、上述のような高速再生動作時におけるコントロール部１３の制御処理は、当該コントロール部１３内のＲＯＭ１３Ａに格納された制御プログラムに基づき、図２７に示す高速再生動作処理手順ＲＴに従って行われる。
【０１５４】
すなわちコントロール部１３は、入力部１２が操作されて、再生すべきＡＶコンテンツ及びその再生速度が指定されると、この高速再生動作処理手順ＲＴをステップＳＰ０において開始し、続くステップＳＰ１において、そのＡＶコンテンツにおいて高速再生表示を開始するピクチャ（すなわち高速再生動作時に最初に表示するピクチャ）を決定する。なおこの実施の形態では、このピクチャとして、例えば２〜15倍速までのいずれの高速再生動作時においても、２番目のＧＯＰ(2)のピクチャB1を決定するようになされている。
【０１５５】
続いてコントロール部１３は、ステップＳＰ２に進んで、ユーザにより指定された再生速度に応じて、トップフィールド又はボトムフィールドとして表示すべきピクチャと、その組み合わせを算出し、決定する。従って、例えば３倍速再生が指定された場合には、図８の上段に示すように、各ＧＯＰのB1、B4、B7、B10、B13の各ピクチャがそれぞれトップフィールドとして決定されると共に、図８の下段に示すように、各ＧＯＰのB2、B5、B8、B11、B14の各ピクチャがそれぞれボトムフィールドとして決定され、これらを図７（Ｆ）のように合成することによって高速再生画像を生成することが決定される。
【０１５６】
次いでコントロール部１３は、ステップＳＰ３に進んで、ステップＳＰ２においてトップフィールド又はボトムフィールドとして表示することを決定したピクチャと、当該ピクチャを復号化処理する際に復号化処理が必要となるピクチャを算出する。例えば、３倍速再生が指定された場合には、図７（Ｂ）に示すように、表示開始ピクチャである２番目のＧＯＰ(2)のピクチャB1と、そのときのボトムフィールドとして表示されるＧＯＰ(2)のピクチャB2とを復号するために１番目のＧＯＰ(1)のI3，P6，P9，P12，P15の各ピクチャの復号化処理が必要であるため、これらとＧＯＰ(2)のピクチャB1及びピクチャB2とが算出される。またこれ以降のピクチャについては、すべてのピクチャB1〜P15が復号化処理の必要なピクチャとして算出される。
【０１５７】
そしてコントロール部１３は、この後ステップＳＰ４に進んで、同時に復号化処理しなければならないフレームの最大数に基づいて、そのとき使用するＭＰＥＧ復号器１５Ａ〜１５Ｈから決定する。またコントロール部１３は、この後これら使用するＭＰＥＧ復号器に対してＭＰＥＧストリームデータＳ３をどのように振り分けるかの振り分け方を算出する。
【０１５８】
例えば３倍速再生が指定された場合には、図７（Ｂ）〜（Ｅ）において明らかなように、２番目のＧＯＰ(2)のピクチャB2を復号化処理する際に、これと同時にピクチャP15、３番目のＧＯＰ(3)のピクチャB7及び４番目のＧＯＰ(4)のピクチャI3を復号化処理しなければならないことから、４個のＭＰＥＧ復号器１５Ａ〜１５Ｄが必要であることが分かる。従って、このときコントロール部１３は、８個のＭＰＥＧ復号器１５Ａ〜１５Ｈの中から４個のＭＰＥＧ復号器１５Ａ〜１５Ｄを復号化処理に使用するＭＰＥＧ復号器として決定する。またコントロール部１３は、この後上述の完結ピクチャ群ＰＳを単位として、図７（Ｂ）〜（Ｅ）のようにＭＰＥＧストリームデータＳ３をこれら第１〜第４のＭＰＥＧ復号器１５Ａ〜１５Ｄに振り分けるように、振分け方を算出することとなる。
【０１５９】
続いてコントロール部１３は、ステップＳＰ５に進んで、高速再生画像の表示開示時刻を適当に設定し、この後ステップＳＰ６及びステップＳＰ７において、ステップＳＰ４において決定した各ＭＰＥＧ復号器１５Ａ〜１５Ｈにそれぞれ順次与えられる完結ピクチャ群ＰＳの復号化処理の開始タイミングを計算する。
【０１６０】
すなわちコントロール部１３は、ステップＳＰ６において、ステップＳＰ１で選択した表示開始ピクチャをステップＳＰ５で設定した表示開始時刻に表示し、その後ステップＳＰ２で決定した各ピクチャを順次表示するために、各ＭＰＥＧ復号器１５Ａ〜１５Ｈがそれぞれ順次自己に振り分けられる各完結ピクチャ群ＰＳの復号化処理を終了しなければならないタイミングをそれぞれ算出する。
【０１６１】
例えば図７（Ｆ）のように高速再生画像を表示する場合、表示開示ピクチャである２番目のＧＯＰ(2)のピクチャB1の表示が開始される時点までに当該ピクチャB1及びこれと合成されるピクチャB2の復号化処理が終了していなければならない。従って、その時点がこれらピクチャB1及びピクチャB2を含む完結ピクチャ群の最も遅い復号化処理の終了タイミングとなる。そこでコントロール部１３は、この時点をそのＭＰＥＧ復号器１５Ａにおけるその完結ピクチャ群の復号化処理の終了タイミングとして算出する。
【０１６２】
またコントロール部１３は、これと同様にして、例えば図７（Ｆ）のように高速再生画像を表示するために、そのＭＰＥＧ復号器１５Ａが自己に振り分けられる完結ピクチャ群の復号化処理を終了しなければならないタイミングをそれぞれ算出する。
【０１６３】
さらにコントロール部１３は、これと同様にして、他の各ＭＰＥＧ復号器１５Ａ〜１５Ｄにそれぞれ振り分けられる完結ピクチャ群の復号化処理を終了しなければならないタイミングを算出する。
【０１６４】
そしてコントロール部１３は、この後ステップＳＰ７に進んで、ステップＳＰ６において算出した各ＭＰＥＧ復号器１５Ａ〜１５Ｈの各復号化処理の終了タイミングと、そのタイミングで復号化処理を終了すべき完結ピクチャ群の復号化処理すべきピクチャ数分の時間とに基づいて、各ＭＰＥＧ復号器１５Ａ〜１５Ｈが順次振り分けられる各完結ピクチャ群に対して復号化処理をそれぞれ開始すべき開始タイミングを順次算出する。
【０１６５】
例えば図７（Ｆ）のように高速再生画像を表示する場合、２番目のＧＯＰ(2)のピクチャB2を含む完結ピクチャ群の復号化処理すべきピクチャ数が８（１番目のＧＯＰ(1)のI3、P6、P9、P12、P15及び２番目のＧＯＰ(2)のI3、B1、B2）であることから、その完結ピクチャ群の復号化処理の開始タイミングが、当該完結ピクチャ群の終了タイミングよりも８フレーム期間分だけ先のタイミングであることが分かる。そこでコントロール部１３は、このタイミングが、対応するＭＰＥＧストリームデータの復号化処理を開始してからどれくらいの時間が経過したタイミングであるかを、各完結ピクチャ群についてそれぞれ算出する。
【０１６６】
そしてコントロール部１３は、この後ステップＳＰ８に進んで、ステップＳＰ７において算出した各ＭＰＥＧ復号器１５Ａ〜１５Ｈが順次振り分けられる各完結ピクチャ群に対して復号化処理をそれぞれ開始すべき開始タイミングに基づいて、データ振り分け部１４が読み出されるＭＰＥＧストリームデータＳ３に対して各ＭＰＥＧ復号器１５Ａ〜１５Ｈに各完結ピクチャ群を振分ける振分け処理を開始すべき開始タイミングを算出して、記憶部１１を制御して対応するＭＰＥＧストリームデータＳ３の読み出しを開始させると共に、データ振分け部１４を制御して、このＭＰＥＧストリームデータＳ３を完結ピクチャ群ＰＳ単位でＭＰＥＧ復号部１５内の対応するＭＰＥＧ復号器１５Ａ〜１５Ｈに順次振り分ける。
【０１６７】
例えば図７（Ａ）のように３倍速で読み出しされる場合、図７（Ａ）〜（Ｅ）において明らかなように、ＭＰＥＧ復号器１５Ｂにおいて２番目のＧＯＰ(2)のピクチャI3の復号化が開始される時点までに当該ピクチャI3の読み出し処理が終了していなければならない。従って、その時点がこのピクチャI3を含むＭＰＥＧストリームＳ３の最も遅い読み出し処理タイミングとなる。そこでコントロール部１３は、この時点からそのＭＰＥＧストリームＳ３の読み出し処理の開始タイミングを算出して、読み出し処理を開始し、ＭＰＥＧストリームデータＳ３を完結ピクチャ群ＰＳ単位でＭＰＥＧ復号部１５内のＭＰＥＧ復号器１５Ａ〜１５Ｄに順次振り分ける。
【０１６８】
またコントロール部１３は、この後ステップＳＰ９に進んで、いずれかのＭＰＥＧ復号器１５Ａ〜１５Ｈがそのとき振り分けられる完結ピクチャ群に対する復号化処理を開始すべきタイミングとなったか否かを判断する。そしてコントロール部１３は、このステップＳＰ９において否定結果を得るとステップＳＰ１１に進み、これに対して肯定結果を得るとステップＳＰ１０に進んでＭＰＥＧ復号部１５内の対応するＭＰＥＧ復号器１５Ａ〜１５Ｈを制御することにより復号化処理を開始させる。
【０１６９】
またコントロール部１３は、この後ステップＳＰ１１に進んで、復号化処理により得られたベースバンドストリームデータＳ４を出力するＭＰＥＧ復号器を切り換えるべきタイミングとなったか否かを判断する。そしてコントロール部１３は、このステップＳＰ１１において否定結果を得るとステップＳＰ１３に進み、これに対して肯定結果を得るとステップＳＰ１２に進んで、対応するＭＰＥＧ復号器を制御することにより、ベースバンドストリームデータＳ４を出力すべきＭＰＥＧ復号器に切り換える。
【０１７０】
さらにコントロール部１３は、この後ステップＳＰ１３に進んで、ビデオフィルタ１５を制御することにより合成処理を実行し、得られた合成ベースバンドストリームデータＳ５をビデオモニタ１７に出力すべきタイミングとなったか否かを判断する。そしてコントロール部１３は、このステップＳＰ１３において否定結果を得るとステップＳＰ１６に進み、これに対して肯定結果を得るとステップＳＰ１４に進んで、ビデオフィルタ１６を制御することにより、合成ベースバンドストリームデータＳ５をビデオモニタ１７に出力する。
【０１７１】
そしてコントロール部１３は、この後ステップＳＰ１４に進んで、そのときベースバンドストリームデータＳ４を出力したＭＰＥＧ復号器１５Ａ〜１５Ｈ内及びビデオフィルタ１６内のメモリ（図示せず）から、そのとき出力したピクチャ及び当該ピクチャを復号化処理するのに必要であったピクチャの符号化データ（ＭＰＥＧストリームデータＳ３）を消去させる。
【０１７２】
続いてコントロール部１３は、ステップＳＰ１６に進んで、入力部１２からの操作信号Ｓ２に基づいて、ユーザが高速再生を停止すべき操作（以下、これを停止操作と呼ぶ）を行ったか否かを判断し、否定結果を得るとステップＳＰ９に戻り、この後ステップＳＰ９〜ステップＳＰ１６について同様の処理を繰り返す。そしてコントロール部１３は、やがてユーザが停止操作を行うことによりステップＳＰ１６において肯定結果を得ると、ステップＳＰ１７に進んでこの高速再生動作処理手順ＲＴを終了する。
【０１７３】
このようにしてコントロール部１３は、記憶部１１、データ振分け部１４、ＭＰＥＧ復号部１５内の各ＭＰＥＧ復号器１５Ａ〜１５Ｈ及びビデオフィルタ１６を制御して指定されたＡＶコンテンツを指定された速度で再生してなる映像をビデオモニタ１７に表示させ得るようになされている。
【０１７４】
（２−４）第１の実施の形態による動作及び効果
以上の構成において、この再生装置１０では、ユーザにより指定されたＡＶコンテンツのＭＰＥＧストリームデータＳ３を指定された再生速度で記憶部１１から読み出し、当該ＭＰＥＧストリームデータＳ３を完結的に復号化処理できる完結ピクチャ群ＰＳ単位で複数のＭＰＥＧ復号器１５Ａ〜１５Ｈに振り分けて、これら複数のＭＰＥＧ復号器１５Ａ〜１５Ｈにおいて並列的に復号化処理する。
【０１７５】
従って、この再生装置１０では、図４２について上述した原理により、１ＧＯＰ内に存在するＩピクチャの数や、１ＧＯＰ内におけるＩピクチャ又はＰピクチャの出現周期Ｍに依存することなく、任意の再生速度でＭＰＥＧストリームデータＳ３を復号化処理することができる。
【０１７６】
またこの再生装置１０では、このようにＭＰＥＧストリームデータＳ３を対応するＭＰＥＧ復号器１５Ａ〜１５Ｈに振り分ける際に、表示しないピクチャの符号化データ（ＭＰＥＧストリームデータＳ３）を予め省略して各ＭＰＥＧ復号器１５Ａ〜１５Ｈに振り分けるようにしているため、かかる復号化処理をより迅速に行い得、その分高速再生を確実に行うことができる。
【０１７７】
さらにこの再生装置１０では、トップフィールドデータのピクチャ内トップフィールドを、例えばフレーム画像内トップフィールドとして選択し、当該ピクチャ内トップフィールド間のフィールド間隔が等間隔又はほぼ等間隔になるように、ボトムフィールドデータのピクチャ内トップフィールド又はピクチャ内ボトムフィールドのいずれかをフレーム画像内ボトムフィールドとして選択することによって、表示すべきフレーム画像のフィールド間の間隔を調整するようにしたことにより、より滑らかに高速再生画像を表示できる。
【０１７８】
さらにこの再生装置１０では、復号化処理に使用するＭＰＥＧ復号器１５Ａ〜１５Ｈとして、（１）式で与えられる数のＭＰＥＧ復号器１５Ａ〜１５Ｈを用意し、これらＭＰＥＧ復号器１５Ａ〜１５Ｈの中からユーザが指定した再生速度に応じた数のＭＰＥＧ復号器１５Ａ〜１５Ｈを選択的に使用するようにして、かかる並列処理を行うため、装置全体の大型化を防止しながら、何倍速再生にも対応することができる。
【０１７９】
以上の構成によれば、ユーザにより指定されたＡＶコンテンツのＭＰＥＧストリームデータＳ３を指定された再生速度で記憶部１１から読み出し、当該ＭＰＥＧストリームデータＳ３を複数のＭＰＥＧ復号器１５Ａ〜１５Ｈに振り分けて、これら複数のＭＰＥＧ復号器１５Ａ〜１５Ｈにおいて並列的に復号化処理するようにしたことにより、１ＧＯＰ内に存在するＩピクチャの数や、１ＧＯＰ内におけるＩピクチャ又はＰピクチャの出現周期Ｍに依存することなくＭＰＥＧストリームデータＳ３を任意の速度で高速再生し得、かくしてＧＯＰ構造がオープンＧＯＰであるＭＰＥＧストリームデータを任意の速度で高速再生し得る再生装置が実現できる。
【０１８０】
（３−１）第２の実施の形態による再生装置の構成
図４との対応部分に同一符号を付して示す図２８において、２０は全体として第２の実施の形態による再生装置を示し、上述した第１の実施の形態による再生装置１０（図４）とは、記憶部１１に記憶保持されたＡＶコンテンツの中からユーザにより指定されるＡＶコンテンツのＭＰＥＧストリームデータ（Ｎ＝15、Ｍ＝５、ＧＯＰ構造がオープンＧＯＰであるものとする）の構成及びＭＰＥＧ復号部２１におけるＭＰＥＧ復号器の個数が異なることを除いて同様に構成されている。
【０１８１】
このときＭＰＥＧ復号部２１は、この実施の形態の場合ではＮ＝15、Ｍ＝５であることから、上述の（１）式により合計６個のＭＰＥＧ復号器１５Ａ〜１５Ｆから構成されていることになる。
【０１８２】
（３−２−１）２倍速再生動作時における再生装置の具体的処理
２倍速再生動作時、記憶部１１は、図２９（Ａ）に示すように、指定されたＡＶコンテンツのＭＰＥＧストリームデータＳ６を２倍速で読み出し、これをデータ振分け部１４に送出する。
【０１８３】
データ振分け部１４は、供給されるＭＰＥＧストリームデータＳ６に基づいて、図３について上述した完結ピクチャ群ＰＳを順次生成し、これら完結ピクチャ群ＰＳを第１の実施の形態による２倍速動作時と同様に順次循環的に第１〜第３のＭＰＥＧ復号器２１Ａ〜２１Ｃに振り分ける。
【０１８４】
ただし２倍速再生動作時では、図２９（Ｅ）に示すように、２番目のＧＯＰ(2)のピクチャB1及びピクチャB2並びにピクチャB3及びピクチャI4が再生されるため、データ振分け部１４は、図２９（Ｂ）に示すように、最初の完結ピクチャ群ＰＳについては、２番目のＧＯＰ(2)のピクチャB1、ピクチャB2、ピクチャB3及びピクチャB4を復号化するのに必要な１番目のＧＯＰ(1)のピクチャI5、ピクチャP10及びピクチャP15並びに２番目のＧＯＰ(2)のピクチャI5、ピクチャB1、ピクチャB2、ピクチャB3及びピクチャB4の各符号化データ（ＭＰＥＧストリームデータＳ６Ａ）のみを第１のＭＰＥＧ復号器２１Ａに送出する。
【０１８５】
第１のＭＰＥＧ復号器２１Ａは、図２９（Ｂ）に示すように、データ振分け部１４から供給される完結ピクチャ群ＰＳのＭＰＥＧストリームデータＳ６Ａを順次蓄積すると共に、例えば２番目のＧＯＰ(2)のB3の符号化データが記憶部１１から読み出されたタイミングで復号化処理を開始し、当該完結ピクチャ群ＰＳ内の各ピクチャの符号化データ（ＭＰＥＧストリームデータＳ６Ａ）を順次復号する。また第１のＭＰＥＧ復号器２１Ａは、これ以降に与えられる完結ピクチャ群ＰＳのＭＰＥＧストリームデータＳ６Ａについてもそれぞれ所定のタイミングで順次復号化処理し、この結果として得られたベースバンドストリームデータＳ７Ａを順次ビデオフィルタ１６に送出する。
【０１８６】
また第２のＭＰＥＧ復号器２１Ｂは、図２９（Ｃ）に示すように、データ振分け部１４から供給される完結ピクチャ群ＰＳのＭＰＥＧストリームデータＳ６Ｂを順次蓄積すると共に、第１のＭＰＥＧ復号器２１Ａが１番目のＧＯＰ(1)のピクチャI5についての復号化処理を開始するタイミングと同じタイミングで復号化処理を開始し、当該完結ピクチャ群ＰＳ内の各ピクチャの符号化データ（ＭＰＥＧストリームデータＳ６Ｂ）を順次復号する。また第２のＭＰＥＧ復号器２１Ｂは、これ以降に与えられる完結ピクチャ群ＰＳのＭＰＥＧストリームデータＳ６Ｂについてもそれぞれ所定のタイミングで順次復号化処理し、この結果として得られたベースバンドストリームデータＳ７Ｂを順次ビデオフィルタ１６に送出する。
【０１８７】
さらに第３のＭＰＥＧ復号器２１Ｃは、図２９（Ｄ）に示すように、データ振分け部１４から供給される完結ピクチャ群ＰＳのＭＰＥＧストリームデータＳ６Ｃを順次蓄積すると共に、第１のＭＰＥＧ復号器２１Ａが２番目のＧＯＰ(2)のピクチャB4についての復号化処理を開始するタイミングで復号化処理を開始し、当該完結ピクチャ群ＰＳ内の各ピクチャの符号化データ（ＭＰＥＧストリームデータＳ６Ｃ）を順次復号する。また第３のＭＰＥＧ復号器２１Ｃは、これ以降に与えられる完結ピクチャ群ＰＳのＭＰＥＧストリームデータＳ６Ｃについてもそれぞれ所定のタイミングで順次復号化処理し、この結果として得られたベースバンドストリームデータＳ７Ｃを順次ビデオフィルタ１６に送出する。
【０１８８】
ビデオフィルタ１６は、図２９（Ｅ）に示すように、第１のＭＰＥＧ復号器２１Ａから２番目のＧＯＰ(2)のB4のベースバンドストリームデータが出力し終えたタイミングから１フレーム期間分だけ先のタイミングで処理を開始し、この後第１〜第３のＭＰＥＧ復号器２１Ａ〜２１Ｃから与えられるベースバンドストリームデータＳ７Ａ〜Ｓ７Ｃについて、2倍速再生の場合では、第１の実施の形態による２倍速動作時と同様に、図３０の上段に表示されたピクチャ（トップフィールドデータ）のピクチャ内トップフィールドを、例えばフレーム画像内トップフィールドとして、図３０の下段に表示されたピクチャ（ボトムフィールドデータ）のピクチャ内トップフィールドを、例えばフレーム画像内ボトムフィールドとして、表示させるようにして合成画像を順次生成すると共に、この合成画像に対して必要に応じてエフェクト処理を施し、かくして得られた合成ベースバンドストリームデータＳ８をビデオモニタ１７に送出する。
【０１８９】
このようにしてこの再生装置２０においては、２倍速再生された滑らかな動画像の合成ベースバンドストリームデータＳ８を生成し、この合成ベースバンドストリームデータＳ８に基づく２倍速再生動画像をビデオモニタ１７に表示させる。
【０１９０】
（３−２−２）３倍速再生動作時における再生装置の具体的処理
３倍速再生動作時、記憶部１１は、図３１（Ａ）に示すように、指定されたＡＶコンテンツのＭＰＥＧストリームデータＳ６を３倍速で読み出し、これをデータ振分け部１４に送出する。
【０１９１】
データ振分け部１４は、供給されるＭＰＥＧストリームデータＳ６に基づいて、図３について上述した完結ピクチャ群ＰＳを順次生成し、これら完結ピクチャ群ＰＳを第１の実施の形態による２倍速動作時と同様に順次循環的に第１〜第３のＭＰＥＧ復号器２１Ａ〜２１Ｃに振り分ける。
【０１９２】
ただし３倍速再生動作時では、図３１（Ｅ）に示すように、２番目のＧＯＰ(2)のピクチャB1及びピクチャB2並びにピクチャB4及びピクチャI5が再生されるため、データ振分け部１４は、図３１（Ｂ）に示すように、最初の完結ピクチャ群ＰＳについては、２番目のＧＯＰ(2)のピクチャB1、ピクチャB2及びピクチャB4を復号化するのに必要な１番目のＧＯＰ(1)のピクチャI5、ピクチャP10及びピクチャP15並びに２番目のＧＯＰ(2)のピクチャI5、ピクチャB1、ピクチャB2及びピクチャB4の各符号化データ（ＭＰＥＧストリームデータＳ６Ａ）のみを第１のＭＰＥＧ復号器２１Ａに送出する。
【０１９３】
第１のＭＰＥＧ復号器２１Ａは、図３１（Ｂ）に示すように、データ振分け部１４から供給される完結ピクチャ群ＰＳのＭＰＥＧストリームデータＳ６Ａを順次蓄積すると共に、例えば２番目のＧＯＰ(2)のB3の符号化データが記憶部１１から読み出されたタイミングで復号化処理を開始し、当該完結ピクチャ群ＰＳ内の各ピクチャの符号化データ（ＭＰＥＧストリームデータＳ６Ａ）を順次復号する。また第１のＭＰＥＧ復号器２１Ａは、これ以降に与えられる完結ピクチャ群ＰＳのＭＰＥＧストリームデータＳ６Ａについてもそれぞれ所定のタイミングで順次復号化処理し、この結果として得られたベースバンドストリームデータＳ７Ａを順次ビデオフィルタ１６に送出する。
【０１９４】
また第２のＭＰＥＧ復号器２１Ｂは、図３１（Ｃ）に示すように、データ振分け部１４から供給される完結ピクチャ群ＰＳのＭＰＥＧストリームデータＳ６Ｂを順次蓄積すると共に、第１のＭＰＥＧ復号器２１Ａが１番目のＧＯＰ(1)のピクチャI5についての復号化処理を開始するタイミングと同じタイミングで復号化処理を開始し、当該完結ピクチャ群ＰＳ内の各ピクチャの符号化データ（ＭＰＥＧストリームデータＳ６Ｂ）を順次復号する。また第２のＭＰＥＧ復号器２１Ｂは、これ以降に与えられる完結ピクチャ群ＰＳのＭＰＥＧストリームデータＳ６Ｂについてもそれぞれ所定のタイミングで順次復号化処理し、この結果として得られたベースバンドストリームデータＳ７Ｂを順次ビデオフィルタ１６に送出する。
【０１９５】
さらに第３のＭＰＥＧ復号器２１Ｃは、図３１（Ｄ）に示すように、データ振分け部１４から供給される完結ピクチャ群ＰＳのＭＰＥＧストリームデータＳ６Ｃを順次蓄積すると共に、第１のＭＰＥＧ復号器２１Ａが２番目のＧＯＰ(2)のピクチャB2についての復号化処理を開始するタイミングで復号化処理を開始し、当該完結ピクチャ群ＰＳ内の各ピクチャの符号化データ（ＭＰＥＧストリームデータＳ６Ｃ）を順次復号する。また第３のＭＰＥＧ復号器２１Ｃは、これ以降に与えられる完結ピクチャ群ＰＳのＭＰＥＧストリームデータＳ６Ｃについてもそれぞれ所定のタイミングで順次復号化処理し、この結果として得られたベースバンドストリームデータＳ７Ｃを順次ビデオフィルタ１６に送出する。
【０１９６】
ビデオフィルタ１６は、図３１（Ｅ）に示すように、第１のＭＰＥＧ復号器２１Ａから２番目のＧＯＰ(2)のB4のベースバンドストリームデータが出力し終えたタイミングから１フレーム期間分だけ先のタイミングで処理を開始し、この後第１〜第３のＭＰＥＧ復号器２１Ａ〜２１Ｃから与えられるベースバンドストリームデータＳ７Ａ〜Ｓ７Ｃについて、3倍速再生の場合では、第１の実施の形態による３倍速動作時と同様に、図３２の上段に表示されたピクチャ（トップフィールドデータ）のピクチャ内トップフィールドを、例えばフレーム画像内トップフィールドとして、図３２の下段に表示されたピクチャ（ボトムフィールドデータ）のピクチャ内ボトムフィールドを、例えばフレーム画像内ボトムフィールドとして表示させるようにして合成画像を順次生成すると共に、この合成画像に対して必要に応じてエフェクト処理を施し、かくして得られた合成ベースバンドストリームデータＳ８をビデオモニタ１７に送出する。
【０１９７】
このようにしてこの再生装置２０においては、３倍速再生された滑らかな動画像の合成ベースバンドストリームデータＳ８を生成し、この合成ベースバンドストリームデータＳ８に基づく３倍速再生動画像をビデオモニタ１７に表示させる。
【０１９８】
（３−２−３）４倍速再生動作時における再生装置の具体的処理
５倍速再生動作時、記憶部１１は、図３３（Ａ）に示すように、指定されたＡＶコンテンツのＭＰＥＧストリームデータＳ６を４倍速で読み出し、これをデータ振分け部１４に送出する。
【０１９９】
データ振分け部１４は、供給されるＭＰＥＧストリームデータＳ６に基づいて、図３について上述した完結ピクチャ群ＰＳを順次生成し、これら完結ピクチャ群ＰＳを第１の実施の形態による２倍速動作時と同様に順次循環的に第１〜第３のＭＰＥＧ復号器２１Ａ〜２１Ｃに振り分ける。
【０２００】
ただし４倍速再生動作時では、図３３（Ｅ）に示すように、２番目のＧＯＰ(2)のピクチャB1及びピクチャB3から再生が開始されるため、データ振分け部１４は、図３３（Ｂ）に示すように、最初の完結ピクチャ群ＰＳについては、２番目のＧＯＰ(2)のピクチャB1及びピクチャB3を復号化するのに必要な１番目のＧＯＰ(1)のピクチャI5、ピクチャP10及びピクチャP15並びに２番目のＧＯＰ(2)のピクチャI5、ピクチャB1及びピクチャB3の各符号化データ（ＭＰＥＧストリームデータ）のみを第１のＭＰＥＧ復号器２１Ａに送出する。
【０２０１】
第１のＭＰＥＧ復号器２１Ａは、図３３（Ｂ）に示すように、データ振分け部１４から供給される完結ピクチャ群ＰＳのＭＰＥＧストリームデータＳ６Ａを順次蓄積すると共に、例えば２番目のＧＯＰ(2)のB3の符号化データが記憶部１１から読み出されたタイミングで復号化処理を開始し、当該完結ピクチャ群ＰＳ内の各ピクチャの符号化データ（ＭＰＥＧストリームデータＳ６Ａ）を順次復号する。また第１のＭＰＥＧ復号器２１Ａは、これ以降に与えられる完結ピクチャ群ＰＳのＭＰＥＧストリームデータＳ６Ａについてもそれぞれ所定のタイミングで所定の符号化データを順次復号化処理し、この結果として得られたベースバンドストリームデータＳ７Ａを順次ビデオフィルタ１６に送出する。
【０２０２】
また第２のＭＰＥＧ復号器２１Ｂは、図３３（Ｃ）に示すように、データ振分け部１４から供給される完結ピクチャ群ＰＳのＭＰＥＧストリームデータＳ６Ｂを順次蓄積すると共に、第１のＭＰＥＧ復号器２１Ａが１番目のＧＯＰ(1)のピクチャI3についての復号化処理を開始するタイミングと同じタイミングで復号化処理を開始し、当該完結ピクチャ群ＰＳ内の各ピクチャの符号化データ（ＭＰＥＧストリームデータＳ６Ｂ）を順次復号する。また第２のＭＰＥＧ復号器２１Ｂは、これ以降に与えられる完結ピクチャ群ＰＳのＭＰＥＧストリームデータＳ６Ｂについてもそれぞれ所定のタイミングで順次復号化処理し、この結果として得られたベースバンドストリームデータＳ７Ｂを順次ビデオフィルタ１６に送出する。
【０２０３】
さらに第３のＭＰＥＧ復号器２１Ｃは、図３３（Ｄ）に示すように、データ振分け部１４から供給される完結ピクチャ群ＰＳのＭＰＥＧストリームデータＳ６Ｃを順次蓄積すると共に、第１のＭＰＥＧ復号器２１Ａが２番目のＧＯＰ(2)のピクチャB1についての復号化処理を開始するタイミングで復号化処理を開始し、当該完結ピクチャ群ＰＳ内の各ピクチャの符号化データ（ＭＰＥＧストリームデータＳ６Ｃ）を順次復号する。また第３のＭＰＥＧ復号器２１Ｃは、これ以降に与えられる完結ピクチャ群ＰＳのＭＰＥＧストリームデータＳ６Ｃについてもそれぞれ所定のタイミングで所定の符号化データを順次復号化処理し、この結果として得られたベースバンドストリームデータＳ７Ｃを順次ビデオフィルタ１６に送出する。
【０２０４】
ビデオフィルタ１６は、図３３（Ｅ）に示すように、第１のＭＰＥＧ復号器２１Ａから２番目のＧＯＰ(2)のB3のベースバンドストリームデータが出力し終えたタイミングで処理を開始し、この後第１〜第３のＭＰＥＧ復号器２１Ａ〜２１Ｃから与えられるベースバンドストリームデータＳ７Ａ〜Ｓ７Ｃについて、4倍速再生の場合では、第１の実施の形態による２倍速動作時と同様に、図３４の上段に表示されたピクチャ（トップフィールド）のピクチャ内トップフィールドを、例えばフレーム画像内トップフィールドとして、図３４の下段に表示されたピクチャ（ボトムフィールドデータ）のピクチャ内トップフィールドを、例えばフレーム画像内ボトムフィールドとして表示させるようにして合成画像を順次生成すると共に、この合成画像に対して必要に応じてエフェクト処理を施し、かくして得られた合成ベースバンドストリームデータＳ８をビデオモニタ１７に送出する。
【０２０５】
このようにしてこの再生装置２０においては、４倍速再生された滑らかな動画像の合成ベースバンドストリームデータＳ８を生成し、この合成ベースバンドストリームデータＳ８に基づく４倍速再生動画像をビデオモニタ１７に表示させる。
【０２０６】
（３−２−４）５倍速再生動作時における再生装置の具体的処理
５倍速再生動作時、記憶部１１は、図３５（Ａ）に示すように、指定されたＡＶコンテンツのＭＰＥＧストリームデータＳ６を５倍速で読み出し、これをデータ振分け部１４に送出する。
【０２０７】
データ振分け部１４は、供給されるＭＰＥＧストリームデータＳ６に基づいて、図３について上述した完結ピクチャ群ＰＳを順次生成し、これら完結ピクチャ群ＰＳを第１の実施の形態による３倍速動作時と同様に順次循環的に第１〜第４のＭＰＥＧ復号器２１Ａ〜２１Ｄに振り分ける。
【０２０８】
ただし５倍速再生動作時では、図３５（Ｅ）に示すように、２番目のＧＯＰ(2)のピクチャB1及びピクチャB3から再生が開始されるため、データ振分け部１４は、最初の完結ピクチャ群ＰＳについては、３倍速動作時の場合と同様の各符号化データ（ＭＰＥＧストリームデータＳ６Ａ）のみを第１のＭＰＥＧ復号器２１Ａに送出する。
【０２０９】
第１のＭＰＥＧ復号器２１Ａは、図３５（Ｂ）に示すように、データ振分け部１４から供給される完結ピクチャ群ＰＳのＭＰＥＧストリームデータＳ６Ａを順次蓄積すると共に、例えば２番目のＧＯＰ(2)のB6の符号化データが記憶部１１から読み出されたタイミングで復号化処理を開始し、当該完結ピクチャ群ＰＳ内の各ピクチャの符号化データ（ＭＰＥＧストリームデータＳ６Ａ）を順次復号する。また第１のＭＰＥＧ復号器２１Ａは、これ以降に与えられる完結ピクチャ群ＰＳのＭＰＥＧストリームデータＳ６Ａについてもそれぞれ所定のタイミングで順次復号化処理し、この結果として得られたベースバンドストリームデータＳ７Ａを順次ビデオフィルタ１６に送出する。
【０２１０】
また第２のＭＰＥＧ復号器２１Ｂは、図３５（Ｃ）に示すように、データ振分け部１４から供給される完結ピクチャ群ＰＳのＭＰＥＧストリームデータＳ６Ｂを順次蓄積すると共に、第１のＭＰＥＧ復号器２１Ａが復号化を開始するタイミングから１フレーム期間分先のタイミングで復号化処理を開始し、当該完結ピクチャ群ＰＳ内の各ピクチャの符号化データ（ＭＰＥＧストリームデータＳ６Ｂ）を順次復号する。また第２のＭＰＥＧ復号器２１Ｂは、これ以降に与えられる完結ピクチャ群ＰＳのＭＰＥＧストリームデータＳ６Ｂについてもそれぞれ所定のタイミングで順次復号化処理し、この結果として得られたベースバンドストリームデータＳ７Ｂを順次ビデオフィルタ１６に送出する。
【０２１１】
さらに第３のＭＰＥＧ復号器２１Ｃは、図３５（Ｄ）に示すように、データ振分け部１４から供給される完結ピクチャ群ＰＳのＭＰＥＧストリームデータＳ６Ｃを順次蓄積すると共に、第１のＭＰＥＧ復号器が１番目のＧＯＰ(1)のピクチャP15についての復号化処理を開始するタイミングで復号化処理を開始し、当該完結ピクチャ群ＰＳ内の各ピクチャの符号化データ（ＭＰＥＧストリームデータＳ６Ｃ）を順次復号する。また第３のＭＰＥＧ復号器２１Ｃは、これ以降に与えられる完結ピクチャ群ＰＳのＭＰＥＧストリームデータＳ６Ｃについてもそれぞれ所定のタイミングで順次復号化処理し、この結果として得られたベースバンドストリームデータＳ７Ｃを順次ビデオフィルタ１６に送出する。
【０２１２】
さらに第４のＭＰＥＧ復号器２１Ｄは、図３５（Ｅ）に示すように、データ振分け部１４から供給される完結ピクチャ群ＰＳのＭＰＥＧストリームデータＳ６Ｃを順次蓄積すると共に、第１のＭＰＥＧ復号器が２番目のＧＯＰ(2)のピクチャB3についての復号化処理を開始するタイミングで復号化処理を開始し、当該完結ピクチャ群ＰＳ内の各ピクチャの符号化データ（ＭＰＥＧストリームデータＳ６Ｄ）を順次復号する。また第４のＭＰＥＧ復号器２１Ｄは、これ以降に与えられる完結ピクチャ群ＰＳのＭＰＥＧストリームデータＳ６Ｄについてもそれぞれ所定のタイミングで順次復号化処理し、この結果として得られたベースバンドストリームデータＳ７Ｄを順次ビデオフィルタ１６に送出する。
【０２１３】
ビデオフィルタ１６は、図３５（Ｆ）に示すように、第１のＭＰＥＧ復号器２１Ａから２番目のＧＯＰ(2)のB3のベースバンドストリームデータが出力し終えたタイミングで処理を開始し、この後第１〜第３のＭＰＥＧ復号器２１Ａ〜２１Ｃから与えられるベースバンドストリームデータＳ７Ａ〜Ｓ７Ｃについて、５倍速再生の場合、第１の実施の形態による３倍速動作時と同様に、図３６の上段に表示されたピクチャ（トップフィールドデータ）のピクチャ内トップフィールドを、例えばフレーム画像内トップフィールドとして、図３６の下段に表示されたピクチャ（ボトムフィールドデータ）のピクチャ内ボトムフィールドを、例えばフレーム画像内ボトムフィールドとして表示させるようにして合成画像を順次生成すると共に、この合成画像に対して必要に応じてエフェクト処理を施し、かくして得られた合成ベースバンドストリームデータＳ８をビデオモニタ１７に送出する。
【０２１４】
このようにしてこの再生装置２０においては、５倍速再生された滑らかな動画像の合成ベースバンドストリームデータＳ８を生成し、この合成ベースバンドストリームデータＳ８に基づく５倍速再生動画像をビデオモニタ１７に表示させる。
【０２１５】
（３−２−５）６倍速再生動作時における再生装置の具体的処理
６倍速再生動作時、記憶部１１は、図３７（Ａ）に示すように、指定されたＡＶコンテンツのＭＰＥＧストリームデータＳ６を６倍速で読み出し、これをデータ振分け部１４に送出する。
【０２１６】
データ振分け部１４は、供給されるＭＰＥＧストリームデータＳ６に基づいて、図３について上述した完結ピクチャ群ＰＳを順次生成し、これら完結ピクチャ群ＰＳを第１の実施の形態による３倍速動作時と同様に順次循環的に第１〜第４のＭＰＥＧ復号器２１Ａ〜２１Ｄに振り分ける。
【０２１７】
ただし６倍速再生動作時では、図３７（Ｅ）に示すように、２番目のＧＯＰ(2)のピクチャB1及びピクチャB3から再生が開始されるため、データ振分け部１４は、図３７（Ｂ）に示すように、最初の完結ピクチャ群ＰＳについては、２番目のＧＯＰ(2)のピクチャB1及びピクチャB4を復号化するのに必要な１番目のＧＯＰ(1)のピクチャI5、ピクチャP10及びピクチャP15並びに２番目のＧＯＰ(2)のピクチャI5、ピクチャB1及びピクチャB4の各符号化データ（ＭＰＥＧストリームデータＳ６Ａ）のみを第１のＭＰＥＧ復号器２１Ａに送出する。
【０２１８】
第１のＭＰＥＧ復号器２１Ａは、図３７（Ｂ）に示すように、データ振分け部１４から供給される完結ピクチャ群ＰＳのＭＰＥＧストリームデータＳ６Ａを順次蓄積すると共に、例えば１番目のＧＯＰ(1)のB13の符号化データが記憶部１１から読み出されたタイミングで復号化処理を開始し、当該完結ピクチャ群ＰＳ内の各ピクチャの符号化データ（ＭＰＥＧストリームデータＳ６Ａ）を順次復号する。また第１のＭＰＥＧ復号器２１Ａは、これ以降に与えられる完結ピクチャ群ＰＳのＭＰＥＧストリームデータＳ６Ａについてもそれぞれ所定のタイミングで順次復号化処理し、この結果として得られたベースバンドストリームデータＳ７Ａを順次ビデオフィルタ１６に送出する。
【０２１９】
また第２のＭＰＥＧ復号器２１Ｂは、図３７（Ｃ）に示すように、データ振分け部１４から供給される完結ピクチャ群ＰＳのＭＰＥＧストリームデータＳ６Ｂを順次蓄積すると共に、第１のＭＰＥＧ復号器２１Ａが１番目のＧＯＰ(1)のピクチャP10についての復号化処理を開始するタイミングで復号化処理を開始し、当該完結ピクチャ群ＰＳ内の各ピクチャの符号化データ（ＭＰＥＧストリームデータＳ６Ｂ）を順次復号する。また第２のＭＰＥＧ復号器２１Ｂは、これ以降に与えられる完結ピクチャ群ＰＳのＭＰＥＧストリームデータＳ６Ｂについてもそれぞれ所定のタイミングで順次復号化処理し、この結果として得られたベースバンドストリームデータＳ７Ｂを順次ビデオフィルタ１６に送出する。
【０２２０】
さらに第３のＭＰＥＧ復号器２１Ｃは、図３７（Ｄ）に示すように、データ振分け部１４から供給される完結ピクチャ群ＰＳのＭＰＥＧストリームデータＳ６Ｃを順次蓄積すると共に、第１のＭＰＥＧ復号器が２番目のＧＯＰ(2)のピクチャI5についての復号化処理を開始するタイミングで復号化処理を開始し、当該完結ピクチャ群ＰＳ内の各ピクチャの符号化データ（ＭＰＥＧストリームデータＳ６Ｃ）を順次復号する。また第３のＭＰＥＧ復号器２１Ｃは、これ以降に与えられる完結ピクチャ群ＰＳのＭＰＥＧストリームデータＳ６Ｃについてもそれぞれ所定のタイミングで所定の符号化データを順次復号化処理し、この結果として得られたベースバンドストリームデータＳ７Ｃを順次ビデオフィルタ１６に送出する。
【０２２１】
さらに第４のＭＰＥＧ復号器２１Ｄは、図３７（Ｅ）に示すように、データ振分け部１４から供給される完結ピクチャ群ＰＳのＭＰＥＧストリームデータＳ６Ｄを順次蓄積すると共に、第１のＭＰＥＧ復号器が２番目のＧＯＰ(2)のピクチャB4についての復号化処理を開始したタイミングの１フレーム後のタイミングで復号化処理を開始し、当該完結ピクチャ群ＰＳ内の各ピクチャの符号化データ（ＭＰＥＧストリームデータＳ６Ｄ）を順次復号する。また第４のＭＰＥＧ復号器２１Ｄは、これ以降に与えられる完結ピクチャ群ＰＳのＭＰＥＧストリームデータＳ６Ｄについてもそれぞれ所定のタイミングで順次復号化処理し、この結果として得られたベースバンドストリームデータＳ７Ｄを順次ビデオフィルタ１６に送出する。
【０２２２】
ビデオフィルタ１６は、図３７（Ｆ）に示すように、第１のＭＰＥＧ復号器２１Ａから２番目のＧＯＰ(2)のB3のベースバンドストリームデータが出力し終えたタイミングで処理を開始し、この後第１〜第３のＭＰＥＧ復号器２１Ａ〜２１Ｃから与えられるベースバンドストリームデータＳ７Ａ〜Ｓ７Ｃについて、6倍速再生の場合では、第１の実施の形態による２倍速動作時と同様に、図３８の上段に表示されたピクチャ（トップフィールドデータ）のピクチャ内トップフィールドを、例えばフレーム画像内トップフィールドとして、図３８の下段に表示されたピクチャ（ボトムフィールドデータ）のピクチャ内トップフィールドを、例えばフレーム画像内ボトムフィールドとして表示させるようにして合成画像を順次生成すると共に、この合成画像に対して必要に応じてエフェクト処理を施し、かくして得られた合成ベースバンドストリームデータＳ８をビデオモニタ１７に送出する。
【０２２３】
このようにしてこの再生装置２０においては、６倍速再生された滑らかな動画像の合成ベースバンドストリームデータＳ８を生成し、この合成ベースバンドストリームデータＳ８に基づく６倍速再生動画像をビデオモニタ１７に表示させる。
【０２２４】
（３−２−６）１５倍速再生動作時における再生装置の具体的処理
１５倍速再生動作時、記憶部１１は、図３９（Ａ）に示すように、指定されたＡＶコンテンツのＭＰＥＧストリームデータＳ６を１５倍速で読み出し、これをデータ振分け部１４に送出する。
【０２２５】
データ振分け部１４は、供給されるＭＰＥＧストリームデータＳ６に基づいて、図３について上述した完結ピクチャ群ＰＳを順次生成し、これら完結ピクチャ群ＰＳを第１の実施の形態による１０倍速動作時と同様に順次循環的に第１〜第６のＭＰＥＧ復号器２１Ａ〜２１Ｆに振り分ける。
【０２２６】
ただし１５倍速再生動作時では、図３９（Ｇ）に示すように、２番目のＧＯＰ(2)のピクチャB1及びピクチャB8から再生が開始されるため、データ振分け部１４は、最初の完結ピクチャ群ＰＳについては、２番目のＧＯＰ(2)のピクチャB1及びピクチャB4を復号化するのに必要な１番目のＧＯＰ(1)のピクチャI5、ピクチャP10及びピクチャP15並びに２番目のＧＯＰ(2)のピクチャI5及びピクチャB1の各符号化データ（ＭＰＥＧストリームデータＳ６Ａ）のみを第１のＭＰＥＧ復号器２１Ａに送出する。
【０２２７】
第１のＭＰＥＧ復号器２１Ａは、図３９（Ｂ）に示すように、データ振分け部１４から供給される完結ピクチャ群ＰＳのＭＰＥＧストリームデータＳ６Ａを順次蓄積すると共に、例えば２番目のＧＯＰ(2)のB1の符号化データが記憶部１１から読み出されたタイミングで復号化処理を開始し、当該完結ピクチャ群ＰＳ内の各ピクチャの符号化データ（ＭＰＥＧストリームデータＳ６Ａを順次復号する。また第１のＭＰＥＧ復号器２１Ａは、これ以降に与えられる完結ピクチャ群ＰＳのＭＰＥＧストリームデータＳ６Ａについてもそれぞれ所定のタイミングで順次復号化処理し、この結果として得られたベースバンドストリームデータＳ７Ａを順次ビデオフィルタ１６に送出する。
【０２２８】
また第２のＭＰＥＧ復号器２１Ｂは、図３９（Ｃ）に示すように、データ振分け部１４から供給される完結ピクチャ群ＰＳのＭＰＥＧストリームデータＳ６Ｂを順次蓄積すると共に、第１のＭＰＥＧ復号器２１Ａが１番目のＧＯＰ(1)のピクチャI5についての復号化処理を開始するタイミングと同じタイミングで復号化処理を開始し、当該完結ピクチャ群ＰＳ内の各ピクチャの符号化データ（ＭＰＥＧストリームデータＳ６Ｂ）を順次復号する。また第２のＭＰＥＧ復号器２１Ｂは、これ以降に与えられる完結ピクチャ群ＰＳのＭＰＥＧストリームデータＳ６Ｂについてもそれぞれ所定のタイミングで順次復号化処理し、この結果として得られたベースバンドストリームデータＳ７Ｂを順次ビデオフィルタ１６に送出する。
【０２２９】
さらに第３のＭＰＥＧ復号器２１Ｃは、図３９（Ｄ）に示すように、データ振分け部１４から供給される完結ピクチャ群ＰＳのＭＰＥＧストリームデータＳ６Ｃを順次蓄積すると共に、第１のＭＰＥＧ復号器２１Ａが１番目のＧＯＰ(1)のピクチャP10についての復号化処理を開始するタイミングで復号化処理を開始し、当該完結ピクチャ群ＰＳ内の各ピクチャの符号化データ（ＭＰＥＧストリームデータＳ６Ｃ）を順次復号する。また第３のＭＰＥＧ復号器２１Ｃは、これ以降に与えられる完結ピクチャ群ＰＳのＭＰＥＧストリームデータＳ６Ｃについてもそれぞれ所定のタイミングで順次復号化処理し、この結果として得られたベースバンドストリームデータＳ７Ｃを順次ビデオフィルタ１６に送出する。
【０２３０】
さらに第４のＭＰＥＧ復号器２１Ｄは、図３９（Ｅ）に示すように、データ振分け部１４から供給される完結ピクチャ群ＰＳのＭＰＥＧストリームデータＳ６Ｄを順次蓄積すると共に、第１のＭＰＥＧ復号器２１Ａが１番目のＧＯＰ(1)のピクチャP15についての復号化処理を開始したタイミングの１フレーム後のタイミングで復号化処理を開始し、当該完結ピクチャ群ＰＳ内の各ピクチャの符号化データ（ＭＰＥＧストリームデータＳ６Ｄ）を順次復号する。また第４のＭＰＥＧ復号器２１Ｄは、これ以降に与えられる完結ピクチャ群ＰＳのＭＰＥＧストリームデータＳ６Ｄについてもそれぞれ所定のタイミングで順次復号化処理し、この結果として得られたベースバンドストリームデータＳ７Ｄを順次ビデオフィルタ１６に送出する。
【０２３１】
さらに第５のＭＰＥＧ復号器２１Ｅは、図３９（Ｆ）に示すように、データ振分け部１４から供給される完結ピクチャ群ＰＳのＭＰＥＧストリームデータＳ６Ｅを順次蓄積すると共に、第１のＭＰＥＧ復号器２１Ａが２番目のＧＯＰ(2)のピクチャI5についての復号化処理を開始したタイミングで復号化処理を開始し、当該完結ピクチャ群ＰＳ内の各ピクチャの符号化データ（ＭＰＥＧストリームデータＳ６Ｅ）を順次復号する。また第５のＭＰＥＧ復号器２１Ｅは、これ以降に与えられる完結ピクチャ群ＰＳのＭＰＥＧストリームデータＳ６Ｅについてもそれぞれ所定のタイミングで順次復号化処理し、この結果として得られたベースバンドストリームデータＳ７Ｅを順次ビデオフィルタ１６に送出する。
【０２３２】
さらに第６のＭＰＥＧ復号器２１Ｆは、図３９（Ｇ）に示すように、データ振分け部１４から供給される完結ピクチャ群ＰＳのＭＰＥＧストリームデータＳ６Ｆを順次蓄積すると共に、第１のＭＰＥＧ復号器２１Ａが２番目のＧＯＰ(2)のピクチャB1についての復号化処理を開始したタイミングで復号化処理を開始し、当該完結ピクチャ群ＰＳ内の各ピクチャの符号化データ（ＭＰＥＧストリームデータＳ６Ｆ）を順次復号する。また第６のＭＰＥＧ復号器２１Ｆは、これ以降に与えられる完結ピクチャ群ＰＳのＭＰＥＧストリームデータＳ６Ｆについてもそれぞれ所定のタイミングで順次復号化処理し、この結果として得られたベースバンドストリームデータＳ７Ｆを順次ビデオフィルタ１６に送出する。
【０２３３】
ビデオフィルタ１６は、図３９（Ｈ）に示すように、第１のＭＰＥＧ復号器２１Ａから２番目のＧＯＰ(2)のB1のベースバンドストリームデータが出力し終えたタイミングで処理を開始し、この後第１〜第６のＭＰＥＧ復号器２１Ａ〜２１Ｆから与えられるベースバンドストリームデータＳ７Ａ〜Ｓ７Ｆについて、１５倍速再生の場合では、第１の実施の形態による３倍速動作時と同様に、図４１の上段に表示されたピクチャ（トップフィールドデータ）のピクチャ内トップフィールドを、例えばフレーム画像内トップフィールドとして、図４１の下段に表示されたピクチャ（ボトムフィールドデータ）のピクチャ内ボトムフィールドを、例えばフレーム画像内ボトムフィールドとして表示させるようにして合成画像を順次生成すると共に、この合成画像に対して必要に応じてエフェクト処理を施し、かくして得られた合成ベースバンドストリームデータＳ８をビデオモニタ１７に送出する。
【０２３４】
このようにしてこの再生装置２０においては、１５倍速再生された滑らかな動画像の合成ベースバンドストリームデータＳ８を生成し、この合成ベースバンドストリームデータＳ８に基づく１５倍速再生動画像をビデオモニタ１７に表示させる。
【０２３５】
（３−３）第２の実施の形態による動作及び効果
以上の構成において、この再生装置２０では、ユーザにより指定されたＡＶコンテンツのＭＰＥＧストリームデータＳ６を指定された再生速度で記憶部１１から読み出し、当該ＭＰＥＧストリームデータＳ６を完結的に復号化処理できる完結ピクチャ群ＰＳ単位で複数のＭＰＥＧ復号器２１Ａ〜２１Ｆに振り分けて、これら複数のＭＰＥＧ復号器２１Ａ〜２１Ｆにおいて並列的に復号化処理する。
【０２３６】
従って、この再生装置２０では、第１の実施の形態による再生装置１０（図４）と同様に、図４２について上述した原理により、１ＧＯＰ内に存在するＩピクチャの数や、１ＧＯＰ内におけるＩピクチャ又はＰピクチャの出現周期Ｍに依存することなく、所望する再生速度でＭＰＥＧストリームデータＳ６を復号化処理することができる。
【０２３７】
またこの再生装置２０では、このようにＭＰＥＧストリームデータＳ６を対応するＭＰＥＧ復号器２１Ａ〜２１Ｆに振り分ける際に、表示しないピクチャの符号化データ（ＭＰＥＧストリームデータＳ６）を予め省略して各ＭＰＥＧ復号器２１Ａ〜２１Ｆに振り分けるようにしているため、かかる復号化処理をより迅速に行い得、その分高速再生を確実に行うことができる。
【０２３８】
さらにこの再生装置２０では、トップフィールドデータのピクチャ内トップフィールドを、例えばフレーム画像内トップフィールドとして選択し、当該ピクチャ内トップフィールド間のフィールド間隔が等間隔又はほぼ等間隔になるように、ボトムフィールドデータのピクチャ内トップフィールド又はピクチャ内ボトムフィールドのいずれかをフレーム画像内ボトムフィールドとして選択することによって、表示すべきフレーム画像のフィールド間の間隔を調整するようにしたことにより、より滑らかに高速再生画像を表示できる。
【０２３９】
さらにこの再生装置２０では、復号化処理に使用するＭＰＥＧ復号器２１Ａ〜２１Ｆとして、（１）式で与えられる数のＭＰＥＧ復号器２１Ａ〜２１Ｆを用意し、これらＭＰＥＧ復号器２１Ａ〜２１Ｆの中からユーザが指定した再生速度に応じた数のＭＰＥＧ復号器２１Ａ〜２１Ｆを選択的に使用するようにして、かかる並列処理を行うため、装置全体の大型化を防止しながら、何倍速再生にも対応することができる。
【０２４０】
以上の構成によれば、ユーザにより指定されたＡＶコンテンツのＭＰＥＧストリームデータＳ６を指定された再生速度で記憶部１１から読み出し、当該ＭＰＥＧストリームデータＳ６を複数のＭＰＥＧ復号器２１Ａ〜２１Ｆに振り分けて、これら複数のＭＰＥＧ復号器２１Ａ〜２１Ｆにおいて並列的に復号化処理するようにしたことにより、１ＧＯＰ内に存在するＩピクチャの数や、１ＧＯＰ内におけるＩピクチャ又はＰピクチャの出現周期Ｍに依存することなくＭＰＥＧストリームデータＳ６を任意の速度で高速再生し得、かくしてＧＯＰ構造がオープンＧＯＰであるＭＰＥＧストリームデータを任意の速度で高速再生し得る再生装置が実現できる。
【０２４１】
（４）他の実施の形態
なお上述の実施の形態においては、ＧＯＰのピクチャ構造におけるＭＰＥＧストリームデータを、Ｎを15、Ｍを３とした場合及びＮを15、Ｍを５とした場合について述べたが、本発明はこれに限らず、この他種々のＧＯＰのピクチャ構造におけるＭＰＥＧストリームデータについても広く適用することができる。
【０２４２】
また上述の実施の形態においては、指定された倍速で読み込まれたＭＰＥＧストリームデータに対して、最初の完結ピクチャ群のＭＰＥＧストリームデータを、対応するＭＰＥＧ復号器において所定のタイミングで復号化を開始した場合について述べたが、本発明にはこれに限らず、指定された倍速で読み込まれたＭＰＥＧストリームデータに対して、最初の完結ピクチャ群のＭＰＥＧストリームデータの復号化を開始するタイミングは、上述のタイミング以前であるならばどのタイミングで復号化を開始するようにしても良い。
【０２４３】
さらに上述の実施の形態においては、上述の（１）式に基づいた個数のＭＰＥＧ復号器から構成されている場合について述べたが、本発明はこれに限らず、例えばＭＰＥＧストリームデータを復号する回路であっても良く、要は所定数のＭＰＥＧストリームデータを復号する機構であれば良い。
【０２４４】
さらに上述の実施の形態においては、データ振分け部において、ＭＰＥＧ復号器Ａから順次完結ピクチャ群のＭＰＥＧストリームデータを振分けた場合について述べたが、本発明はこれに限らず、ＭＰＥＧ復号器Ａ以外のＭＰＥＧ復号器から順次完結ピクチャ群のＭＰＥＧストリームデータの振分けを開始するようにしても良い。
【０２４５】
さらに上述の実施の形態においては、データ振分け部において、ＭＰＥＧ復号器Ａから順番に順次完結ピクチャのＭＰＥＧストリームデータを振分けた場合について述べたが、本発明はこれに限らず、例えば順番に関わらず復号化の終了したＭＰＥＧ復号器に順次完結ピクチャのＭＰＥＧストリームデータを振分けるようにしても良く、この他種々の順番で完結ピクチャのＭＰＥＧストリームデータを振分ける場合についても広く適用することができる。
【０２４６】
さらに上述の実施の形態においては、指定された倍速で読み込まれたＭＰＥＧストリームデータに対して、一旦データ振分け部のメモリに蓄積すると共に、所定のタイミングで当該完結ピクチャ群のＭＰＥＧストリームデータを振分け、各ＭＰＥＧ復号器においてそのタイミングで復号化を開始した場合について述べたが、本発明はこれに限らず、データ振分け部から供給される完結ピクチャ群のＭＰＥＧストリームデータを一旦各ＭＰＥＧ復号器に順次蓄積すると共に、所定のタイミングで復号化処理を開始するようにしても良い。
【０２４７】
さらに上述の実施の形態においては、指定された倍速で読み込まれたＭＰＥＧストリームデータに対して、一旦データ振分け部のメモリに蓄積すると共に、所定のタイミングで当該完結ピクチャ群のＭＰＥＧストリームデータを振分け、各ＭＰＥＧ復号器においてそのタイミングで復号化を開始した場合について述べたが、本発明はこれに限らず、読み込まれたＭＰＥＧストリームデータのうちのすべてのピクチャを、所定のタイミングで分岐及び切り替えしながら順次各ＭＰＥＧ復号器に送出して、当該各ＭＰＥＧ復号器において復号化するようにしても良い。
【０２４８】
さらに上述の実施の形態においては、指定された倍速で読み込まれたＭＰＥＧストリームデータに対して、一旦データ振分け部のメモリに蓄積すると共に、所定のタイミングで当該完結ピクチャ群のＭＰＥＧストリームデータを振分け、各ＭＰＥＧ復号器においてそのタイミングで復号化を開始した場合について述べたが、本発明はこれに限らず、当該ＭＰＥＧストリームデータのうちの特定のピクチャを各ＭＰＥＧ復号器に蓄えつつ、読み込まれたＭＰＥＧストリームデータのうちのすべてのピクチャを所定のタイミングで切り替えしながら順次各ＭＰＥＧ復号器に送出して、当該各ＭＰＥＧ復号器において必要なピクチャのみを復号化するようにしても良い。
【０２４９】
さらに上述の実施の形態においては、データ振分け部から供給される完結ピクチャ群のＭＰＥＧストリームデータを所定のタイミングで順次復号化処理し、この結果として得られたベースバンドストリームデータを順次ビデオフィルタに送出した場合について述べたが、本発明はこれに限らず、所定のタイミングで順次復号化処理し、この結果として得られたベースバンドストリームデータを各ＭＰＥＧ復号器に順次蓄積すると共に、ビデオフィルタにおいて所定のタイミングで各ＭＰＥＧ復号器からベースバンドストリームデータを読み出して合成画像を順次生成するようにしても良い。
【０２５０】
さらに第１の実施の形態においては、２倍速〜８倍速、10倍速及び15倍速再生動作時における再生装置の具体的処理について述べたが、本発明はこれに限らず、例えば９倍速、〜14倍速再生動作時及び15倍速再生動作時以上における再生装置の具体的処理等、２倍速以上の任意の倍速再生動作時における再生装置の具体的処理について広く適用することができる。
【０２５１】
さらに第１の実施の形態においては、表示開始ピクチャはすべて１番目のＧＯＰ(1)のピクチャB1から開始した場合について述べたが、本発明はこれに限らず、例えば５番目のＧＯＰ(5)のピクチャI3や（ｎ＋２）番目のＧＯＰ(n+2)のピクチャP6から開始する場合等この他種々のＧＯＰのピクチャから開始する場合についても広く適用することができる。
【０２５２】
さらに第２の実施の形態においては、２倍速〜６倍速及び１５倍速再生動作時における再生装置の具体的処理について述べたが、本発明はこれに限らず、例えば７倍速〜14倍速動作時及び15倍速動作時以上における再生装置の具体的処理等、２倍速以上の任意の倍速動作時における再生装置の具体的処理について広く適用することができる。
【０２５３】
さらに第２の実施の形態においては、表示開始ピクチャはすべて１番目のＧＯＰ(1)のピクチャB1から開始した場合について述べたが、本発明はこれに限らず、例えば５番目のＧＯＰ（5）のピクチャI5や（ｎ＋２）番目のＧＯＰ(n+2)のピクチャP10から開始する場合等この他種々のＧＯＰのピクチャから開始する場合についても広く適用することができる。
【０２５４】
さらに、第１の実施の形態（図４）及び第２の実施の形態（図２８）における記憶装置１１は、ハードディスク装置以外にも、例えば、光ディスク、光磁気ディスク、半導体メモリ、磁気ディスク等の種々の記録媒体を含むことは言うまでもない。また、記憶装置１１（あるいはビデオフィルタ１６）の接続形態も、再生装置１０として一体化されているに限らず、例えば外部から有線または無線で接続されている形態なども考えられる。
【０２５５】
さらに上述の実施の形態における一連の処理は、それぞれの機能を有するハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータに対して、各種プログラムをインストールすることで各種の機能を実行することが可能となり、例えば汎用のパーソナルコンピュータなどに例えば記録媒体からインストールされる。この記録媒体は、例えば、光ディスク、光磁気ディスク、半導体メモリ、磁気ディスク等の種々の記録媒体を含むことは言うまでもない。また例えば汎用のパーソナルコンピュータなどに例えばインターネット等のネットワークを介してダウンロードすることによって、各種プログラムをインストールすることもできる。
【産業上の利用可能性】
【０２５６】
本発明は、オープンＧＯＰを用いたＭＰＥＧ方式による復号化装置の他、これに類似する符号化又は復号化のアルゴリズムを有する方式の復号化装置に適用することができる。
【図面の簡単な説明】
【０２５７】
【図１】オープンＧＯＰのピクチャ構成例を示す略線図である。
【図２】ＭＰＥＧストリームデータの構成例を示す略線図である。
【図３】完結ピクチャ群の構成例を示す略線図である。
【図４】第１の実施の形態による再生装置の構成を示すブロック図である。
【図５】２倍速再生動作時における再生装置の具体的処理を示すタイミングチャートである。
【図６】２倍速再生動作時における再生装置の合成処理を示す略線図である。
【図７】３倍速再生動作時における再生装置の具体的処理を示すタイミングチャートである。
【図８】３倍速再生動作時における再生装置の合成処理を示す略線図である。
【図９】４倍速再生動作時における再生装置の具体的処理を示すタイミングチャートである。
【図１０】４倍速再生動作時における再生装置の合成処理を示す略線図である。
【図１１】５倍速再生動作時における再生装置の具体的処理を示すタイミングチャートである。
【図１２】５倍速再生動作時における再生装置の合成処理を示す略線図である。
【図１３】６倍速再生動作時における再生装置の具体的処理を示すタイミングチャートである。
【図１４】６倍速再生動作時における再生装置の合成処理を示す略線図である。
【図１５】７倍速再生動作時における再生装置の具体的処理を示すタイミングチャートである。
【図１６】７倍速再生動作時における再生装置の具体的処理を示すタイミングチャートである。
【図１７】７倍速再生動作時における再生装置の合成処理を示す略線図である。
【図１８】８倍速再生動作時における再生装置の具体的処理を示すタイミングチャートである。
【図１９】８倍速再生動作時における再生装置の具体的処理を示すタイミングチャートである。
【図２０】８倍速再生動作時における再生装置の合成処理を示す略線図である。
【図２１】１０倍速再生動作時における再生装置の具体的処理を示すタイミングチャートである。
【図２２】１０倍速再生動作時における再生装置の具体的処理を示すタイミングチャートである。
【図２３】１０倍速再生動作時における再生装置の合成処理を示す略線図である。
【図２４】１５倍速再生動作時における再生装置の具体的処理を示すタイミングチャートである。
【図２５】１５倍速再生動作時における再生装置の具体的処理を示すタイミングチャートである。
【図２６】１５倍速再生動作時における再生装置の合成処理を示す略線図である。
【図２７】高速再生動作処理手順を示すフローチャートである。
【図２８】第２の実施の形態による再生装置の構成を示すブロック図である。
【図２９】２倍速再生動作時における再生装置の具体的処理を示すタイミングチャートである。
【図３０】２倍速再生動作時における再生装置の合成処理を示す略線図である。
【図３１】３倍速再生動作時における再生装置の具体的処理を示すタイミングチャートである。
【図３２】３倍速再生動作時における再生装置の合成処理を示す略線図である。
【図３３】４倍速再生動作時における再生装置の具体的処理を示すタイミングチャートである。
【図３４】４倍速再生動作時における再生装置の合成処理を示す略線図である。
【図３５】５倍速再生動作時における再生装置の具体的処理を示すタイミングチャートである。
【図３６】５倍速再生動作時における再生装置の合成処理を示す略線図である。
【図３７】６倍速再生動作時における再生装置の具体的処理を示すタイミングチャートである。
【図３８】６倍速再生動作時における再生装置の合成処理を示す略線図である。
【図３９】１５倍速再生動作時における再生装置の具体的処理を示すタイミングチャートである。
【図４０】１５倍速再生動作時における再生装置の具体的処理を示すタイミングチャートである。
【図４１】１５倍速再生動作時における再生装置の合成処理を示す略線図である。
【図４２】クローズドＧＯＰにおける２倍速再生動作時の復号化処理を示すタイミングチャートである。
【図４３】ＭＰＥＧ方式におけるＧＯＰ図の説明に供する略線図である。
【符号の説明】
【０２５８】
１０、２０……再生装置、１１……記憶装置、１２……入力部、１３……コントロール部、１４……データ振分け部、１５、２１……ＭＰＥＧ復号部、１５Ａ〜１５Ｈ、２１Ａ〜２１Ｆ……ＭＰＥＧ復号器、１６……ビデオフィルタ、１７……ビデオモニタ。
【図１】
2005341168.tif 000004
【図２】
2005341168.tif 000005
【図３】
2005341168.tif 000006
【図４】
2005341168.tif 000007
【図５】
2005341168.tif 000008
【図６】
2005341168.tif 000009
【図７】
2005341168.tif 000010
【図８】
2005341168.tif 000011
【図９】
2005341168.tif 000012
【図１０】
2005341168.tif 000013
【図１１】
2005341168.tif 000014
【図１２】
2005341168.tif 000015
【図１３】
2005341168.tif 000016
【図１４】
2005341168.tif 000017
【図１５】
2005341168.tif 000018
【図１６】
2005341168.tif 000019
【図１７】
2005341168.tif 000020
【図１８】
2005341168.tif 000021
【図１９】
2005341168.tif 000022
【図２０】
2005341168.tif 000023
【図２１】
2005341168.tif 000024
【図２２】
2005341168.tif 000025
【図２３】
2005341168.tif 000026
【図２４】
2005341168.tif 000027
【図２５】
2005341168.tif 000028
【図２６】
2005341168.tif 000029
【図２７】
2005341168.tif 000030
【図２８】
2005341168.tif 000031
【図２９】
2005341168.tif 000032
【図３０】
2005341168.tif 000033
【図３１】
2005341168.tif 000034
【図３２】
2005341168.tif 000035
【図３３】
2005341168.tif 000036
【図３４】
2005341168.tif 000037
【図３５】
2005341168.tif 000038
【図３６】
2005341168.tif 000039
【図３７】
2005341168.tif 000040
【図３８】
2005341168.tif 000041
【図３９】
2005341168.tif 000042
【図４０】
2005341168.tif 000043
【図４１】
2005341168.tif 000044
【図４２】
2005341168.tif 000045
【図４３】
2005341168.tif 000046